(57)【要約】【課題】  近傍点設備からケーブルに沿って配線点を検索し、ケーブルの通信媒体使用率を比較して使用率を向上させ得るように通信媒体を選定する通信媒体選定装置および方法を提供する。【解決手段】  近傍点設備に敷設されているケーブルの属性が目的に合ったものか否かを判定し、目的に合ったものである場合、ケーブルに沿って配線点を特定し、目的に合ったものでない場合には、目的に合ったケーブルをケーブルに沿って検索し、目的の属性のケーブルに沿って配線点を特定し、この配線点から通信媒体を選定するに当たって、各ケーブルにおける通信媒体の使用率を通信媒体使用率計算部から読み出して各ケーブル毎に比較し、この比較結果に基づいて通信媒体を選定する。【選択図】      図１
2006217652.tif 000002
【特許請求の範囲】
【請求項１】
複数の通信媒体をまとめて構成される通信媒体集合体を更に複数まとめて形成されるケーブルを敷設して構成される通信線路において通信媒体の需要に対してケーブルから通信媒体を選定する通信媒体選定装置であって、
通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定するケーブル属性判定手段と、
この判定の結果、ケーブル属性が目的に合ったものでない場合には、目的に合った属性のケーブルを当該ケーブルに沿って検索するケーブル検索手段と、
前記判定の結果、ケーブル属性が目的に合ったものである場合、当該ケーブルから通信媒体を取り出すための配線点を当該ケーブルに沿って特定し、ケーブル属性が目的に合ったものでない場合には、前記ケーブル検索手段で検索した目的の属性のケーブルに沿って配線点を特定する配線点特定手段と、
この特定された配線点から通信媒体を選定する通信媒体選定手段と
を有することを特徴とする通信媒体選定装置。
【請求項２】
複数の通信媒体をまとめて構成される通信媒体集合体を更に複数まとめて形成されるケーブルを敷設して構成される通信線路において通信媒体の需要に対してケーブルから通信媒体を選定する通信媒体選定装置であって、
通信媒体に接続された光分岐モジュールが使用可能なものであるか否かを判断する光分岐モジュール判断手段と、
この判断の結果、使用可能な光分岐モジュールに接続された通信媒体を選定する通信媒体選定手段と
を有することを特徴とする通信媒体選定装置。
【請求項３】
前記ケーブル属性判定手段は、
ケーブルを特定するケーブル特定情報に対応して該ケーブルの属性情報を各ケーブル毎に記憶するケーブル属性記憶手段と、
前記近傍点設備に敷設されているケーブルの属性情報を前記ケーブル属性情報記憶手段から読み出し、この読み出したケーブル属性情報が前記目的のケーブル属性に合ったものであるか否かを判断するケーブル属性判断手段とを有し、
前記ケーブル検索手段は、
ケーブルを特定するケーブル特定情報に対応して該ケーブルに接続されているケーブルを特定するケーブル特定情報を各ケーブル毎に記憶するケーブル接続情報記憶手段と、
前記ケーブル属性判断手段による判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行なう手段とを有し、
前記配線点特定手段は、
ケーブルを特定するケーブル特定情報に対応して該ケーブルに存在する配線点を特定する配線点特定情報を各ケーブル毎に記憶する配線点記憶手段と、
前記目的のケーブル属性に合った属性のケーブルに沿って該ケーブルの配線点特定情報を前記配線点記憶手段から読み出し、この読み出した配線点特定情報で特定される配線点を出力する特定配線点出力手段とを有する
ことを特徴とする請求項１記載の通信媒体選定装置。
【請求項４】
前記通信媒体選定手段は、
優先して選定すべき通信媒体の優先順位を予め設定する優先順位設定手段と、
通信媒体を特定する通信媒体特定情報に対応して該通信媒体の使用状態を各通信媒体毎に記憶する通信媒体使用状態記憶手段と、
前記特定された配線点において選定対象となる通信媒体の使用状態を前記通信媒体使用状態記憶手段から読み出し、この読み出した通信媒体使用状態を前記優先順位設定手段で設定されている優先順位と比較する優先順位比較手段と、
この比較の結果、前記配線点において使用可能な通信媒体を前記優先順に抽出する優先媒体抽出手段と
を有することを特徴とする請求項１または３記載の通信媒体選定装置。
【請求項５】
前記通信媒体選定手段は、
前記優先順位比較手段における比較結果に基づき、前記配線点において通信媒体を選定するために該通信媒体を含む通信媒体集合体またはケーブルを切断する必要があるか否かを判定する切断判定手段と、
この判定の結果、ケーブルを切断する必要がある場合には、前記配線点を通過する通信媒体が接続されている末端のケーブルであるリーフケーブルを特定するリーフケーブル特定手段と、
配線点において通信媒体を選定するためにケーブルを切断するための切断条件を予め設定する切断条件設定手段と、
前記特定したリーフケーブルの通信媒体使用率を比較しながら前記切断条件設定手段で設定されているケーブル切断条件に基づき当該リーフケーブルの通信媒体使用率を並び替えする比較並び替え手段と、
この並び替えられた通信媒体使用率から切断可能な通信媒体を抽出する通信媒体抽出手段と
を有することを特徴とする請求項４記載の通信媒体選定装置。
【請求項６】
前記光分岐モジュール判断手段は、
通信媒体を特定する通信媒体特定情報に対応して該通信媒体に接続されている光分岐モジュールを特定する光分岐モジュール特定情報を各通信媒体毎に記憶する光分岐モジュール接続記憶手段と、
光分岐モジュールを特定する光分岐モジュール特定情報に対応して該光分岐モジュールの属性を各光分岐モジュール毎に記憶する光分岐モジュール属性記憶手段と、
通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定する光分岐モジュール使用条件充足判定手段とを有し、
前記通信媒体選定手段は、前記光分岐モジュール使用条件充足判定手段の判定の結果に基づき前記光分岐モジュール使用条件を充足する光分岐モジュールが接続されている通信媒体を抽出する通信媒体抽出手段を有する
ことを特徴とする請求項２記載の通信媒体選定装置。
【請求項７】
複数の通信媒体をまとめて構成される通信媒体集合体を更に複数まとめて形成されるケーブルを敷設して構成される通信線路において通信媒体の需要に対してケーブルから通信媒体を選定する通信媒体選定方法であって、
通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定し、
この判定の結果、ケーブル属性が目的に合ったものでない場合には、目的に合った属性のケーブルを当該ケーブルに沿って検索し、
前記ケーブル属性の判定の結果、ケーブル属性が目的に合ったものである場合、当該ケーブルから通信媒体を取り出すための配線点を当該ケーブルに沿って特定し、ケーブル属性が目的に合ったものでない場合には、前記検索した目的の属性のケーブルに沿って配線点を特定し、
この特定された配線点から通信媒体を選定する
ことを特徴とする通信媒体選定方法。
【請求項８】
複数の通信媒体をまとめて構成される通信媒体集合体を更に複数まとめて形成されるケーブルを敷設して構成される通信線路において通信媒体の需要に対してケーブルから通信媒体を選定する通信媒体選定方法であって、
通信媒体に接続された光分岐モジュールが使用可能なものであるか否かを判断し、
この判断の結果、使用可能な光分岐モジュールに接続された通信媒体を選定する
ことを特徴とする通信媒体選定方法。
【請求項９】
前記ケーブル属性が目的に合ったものであるか否かについての判定処理は、
ケーブルを特定するケーブル特定情報に対応して該ケーブルの属性情報を各ケーブル毎にケーブル属性記憶手段に記憶し、
前記近傍点設備に敷設されているケーブルの属性情報を前記ケーブル属性情報記憶手段から読み出し、この読み出したケーブル属性情報が前記目的のケーブル属性に合ったものであるか否かを判断し、
前記ケーブルを検索する処理は、
ケーブルを特定するケーブル特定情報に対応して該ケーブルに接続されているケーブルを特定するケーブル特定情報を各ケーブル毎にケーブル接続情報記憶手段に記憶し、
前記ケーブル属性が目的にあるものであるか否かの判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行ない、
前記配線点を特定する処理は、
ケーブルを特定するケーブル特定情報に対応して該ケーブルに存在する配線点を特定する配線点特定情報を各ケーブル毎に配線点記憶手段に記憶し、
前記目的のケーブル属性に合った属性のケーブルに沿って該ケーブルの配線点特定情報を前記配線点記憶手段から読み出し、この読み出した配線点特定情報で特定される配線点を出力する
ことを特徴とする請求項７記載の通信媒体選定方法。
【請求項１０】
前記通信媒体を選定する処理は、
優先して選定すべき通信媒体の優先順位を予め設定し、
通信媒体を特定する通信媒体特定情報に対応して該通信媒体の使用状態を各通信媒体毎に通信媒体使用状態記憶手段に記憶し、
前記特定された配線点において選定対象となる通信媒体の使用状態を前記通信媒体使用状態記憶手段から読み出し、この読み出した通信媒体使用状態を前記優先順位と比較し、
この比較の結果、前記配線点において使用可能な通信媒体を前記優先順に抽出する
ことを特徴とする請求項７または９記載の通信媒体選定方法。
【請求項１１】
前記通信媒体を選定する処理は、
前記優先順位の比較結果に基づき、前記配線点において通信媒体を選定するために該通信媒体を含む通信媒体集合体またはケーブルを切断する必要があるか否かを判定し、
この判定の結果、ケーブルを切断する必要がある場合には、前記配線点を通過する通信媒体が接続されている末端のケーブルであるリーフケーブルを特定し、
配線点において通信媒体を選定するためにケーブルを切断するためのケーブル切断条件を予め設定し、
前記特定したリーフケーブルの通信媒体使用率を比較しながら前記ケーブル切断条件に基づき当該リーフケーブルの通信媒体使用率を並び替えし、
この並び替えられた通信媒体使用率から切断可能な通信媒体を抽出する
ことを特徴とする請求項１０記載の通信媒体選定方法。
【請求項１２】
前記光分岐モジュールが使用可能なものであるか否かを判断する処理は、
通信媒体を特定する通信媒体特定情報に対応して該通信媒体に接続されている光分岐モジュールを特定する光分岐モジュール特定情報を各通信媒体毎に光分岐モジュール接続記憶手段に記憶し、
光分岐モジュールを特定する光分岐モジュール特定情報に対応して該光分岐モジュールの属性を各光分岐モジュール毎に光分岐モジュール属性記憶手段に記憶し、
通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定し、
前記通信媒体を選定する処理は、前記光分岐モジュール使用条件を充足するか否かについての判定の結果に基づき前記光分岐モジュール使用条件を充足する光分岐モジュールが接続されている通信媒体を抽出する
ことを特徴とする請求項８記載の通信媒体選定方法。
【請求項１３】
複数の通信媒体をまとめて構成される通信媒体集合体を更に複数まとめて形成されるケーブルを敷設して構成される通信線路において通信媒体の需要に対してケーブルから通信媒体を選定する通信媒体選定プログラムを記録した記録媒体であって、
通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定し、
この判定の結果、ケーブル属性が目的に合ったものでない場合には、目的に合った属性のケーブルを当該ケーブルに沿って検索し、
前記ケーブル属性の判定の結果、ケーブル属性が目的に合ったものである場合、当該ケーブルから通信媒体を取り出すための配線点を当該ケーブルに沿って特定し、ケーブル属性が目的に合ったものでない場合には、前記検索した目的の属性のケーブルに沿って配線点を特定し、
この特定された配線点から通信媒体を選定する
ことを特徴とする通信媒体選定プログラムを記録した記録媒体。
【請求項１４】
複数の通信媒体をまとめて構成される通信媒体集合体を更に複数まとめて形成されるケーブルを敷設して構成される通信線路において通信媒体の需要に対してケーブルから通信媒体を選定する通信媒体選定プログラムを記録した記録媒体であって、
通信媒体に接続された光分岐モジュールが使用可能なものであるか否かを判断し、
この判断の結果、使用可能な光分岐モジュールに接続された通信媒体を選定する
ことを特徴とする通信媒体選定プログラムを記録した記録媒体。
【請求項１５】
前記ケーブル属性が目的に合ったものであるか否かについての判定処理は、
ケーブルを特定するケーブル特定情報に対応して該ケーブルの属性情報を各ケーブル毎にケーブル属性記憶手段に記憶し、
前記近傍点設備に敷設されているケーブルの属性情報を前記ケーブル属性情報記憶手段から読み出し、この読み出したケーブル属性情報が前記目的のケーブル属性に合ったものであるか否かを判断し、
前記ケーブルを検索する処理は、
ケーブルを特定するケーブル特定情報に対応して該ケーブルに接続されているケーブルを特定するケーブル特定情報を各ケーブル毎にケーブル接続情報記憶手段に記憶し、
前記ケーブル属性が目的にあるものであるか否かの判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行ない、
前記配線点を特定する処理は、
ケーブルを特定するケーブル特定情報に対応して該ケーブルに存在する配線点を特定する配線点特定情報を各ケーブル毎に配線点記憶手段に記憶し、
前記目的のケーブル属性に合った属性のケーブルに沿って該ケーブルの配線点特定情報を前記配線点記憶手段から読み出し、この読み出した配線点特定情報で特定される配線点を出力する
ことを特徴とする請求項１３記載の通信媒体選定プログラムを記録した記録媒体。
【請求項１６】
前記通信媒体を選定する処理は、
優先して選定すべき通信媒体の優先順位を予め設定し、
通信媒体を特定する通信媒体特定情報に対応して該通信媒体の使用状態を各通信媒体毎に通信媒体使用状態記憶手段に記憶し、
前記特定された配線点において選定対象となる通信媒体の使用状態を前記通信媒体使用状態記憶手段から読み出し、この読み出した通信媒体使用状態を前記優先順位と比較し、
この比較の結果、前記配線点において使用可能な通信媒体を前記優先順に抽出する
ことを特徴とする請求項１３または１５記載の通信媒体選定プログラムを記録した記録媒体。
【請求項１７】
前記通信媒体を選定する処理は、
前記優先順位の比較結果に基づき、前記配線点において通信媒体を選定するために該通信媒体を含む通信媒体集合体またはケーブルを切断する必要があるか否かを判定し、
この判定の結果、ケーブルを切断する必要がある場合には、前記配線点を通過する通信媒体が接続されている末端のケーブルであるリーフケーブルを特定し、
配線点において通信媒体を選定するためにケーブルを切断するためのケーブル切断条件を予め設定し、
前記特定したリーフケーブルの通信媒体使用率を比較しながら前記ケーブル切断条件に基づき当該リーフケーブルの通信媒体使用率を並び替えし、
この並び替えられた通信媒体使用率から切断可能な通信媒体を抽出する
ことを特徴とする請求項１６記載の通信媒体選定プログラムを記録した記録媒体。
【請求項１８】
前記光分岐モジュールが使用可能なものであるか否かを判断する処理は、
通信媒体を特定する通信媒体特定情報に対応して該通信媒体に接続されている光分岐モジュールを特定する光分岐モジュール特定情報を各通信媒体毎に光分岐モジュール接続記憶手段に記憶し、
光分岐モジュールを特定する光分岐モジュール特定情報に対応して該光分岐モジュールの属性を各光分岐モジュール毎に光分岐モジュール属性記憶手段に記憶し、
通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定し、
前記通信媒体を選定する処理は、前記光分岐モジュール使用条件を充足するか否かについての判定の結果に基づき前記光分岐モジュール使用条件を充足する光分岐モジュールが接続されている通信媒体を抽出する
ことを特徴とする請求項１４記載の通信媒体選定プログラムを記録した記録媒体。
【請求項１９】
複数の通信媒体をまとめて構成されるケーブルから需要点に対する通信媒体を選定する通信媒体選定装置であって、
通信媒体を選定する毎に需要点下部の分岐エリア内に属する個々のケーブル在庫心線数を加算して得られる分岐エリア毎の分岐エリア在庫媒体数を計算する分岐エリア在庫媒体数計算手段と、
この計算された分岐エリア毎の分岐エリア在庫媒体数を記憶する分岐エリア在庫媒体数記憶手段と、
通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定する通信媒体選定手段と
を有することを特徴とする通信媒体選定装置。
【請求項２０】
前記分岐エリア在庫媒体数計算手段は、
各分岐エリアにおける分岐エリア在庫媒体数を計算するルールを予め設定する計算ルール設定手段と、
分岐エリア在庫媒体数を計算するのに必要な個々のケーブルが通信媒体を提供することが可能な範囲である配線ブロックのユーザ数および平均需要割合を含む属性を記憶する配線ブロック属性記憶手段と、
分岐エリア内の指定ケーブルのケーブル在庫媒体数を計算するのに必要な通信媒体の使用状態を含む属性を読み込む属性読込手段と、
前記配線ブロックにおける属性、前記指定ケーブルの通信媒体の属性、および前記分岐エリア在庫媒体数の計算ルールから分岐エリア在庫媒体数を計算する計算手段と
を有することを特徴とする請求項１９記載の通信媒体選定装置。
【請求項２１】
前記通信媒体選定手段は、
ケーブル接続情報から指定配線点下部側のケーブルツリー情報を生成し、この生成したケーブルツリーによって分岐エリアの範囲を定める分岐エリア範囲設定手段と、
各分岐エリアにおける分岐エリア在庫媒体数を比較する分岐エリア在庫媒体数比較手段と、
予め設定した優先順位順に従って通信媒体を抽出する優先媒体抽出手段と
を有することを特徴とする請求項１９記載の通信媒体選定装置。
【請求項２２】
複数の通信媒体をまとめて構成されるケーブルから需要点に対する通信媒体を選定する通信媒体選定方法であって、
通信媒体を選定する毎に需要点下部の分岐エリア内に属する個々のケーブル在庫心線数を加算して得られる分岐エリア毎の分岐エリア在庫媒体数を計算し、
この計算された分岐エリア毎の分岐エリア在庫媒体数を記憶し、
通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定する
ことを特徴とする通信媒体選定方法。
【請求項２３】
前記分岐エリア在庫媒体数を計算する処理は、
各分岐エリアにおける分岐エリア在庫媒体数を計算するルールを予め設定し、
分岐エリア在庫媒体数を計算するのに必要な個々のケーブルが通信媒体を提供することが可能な範囲である配線ブロックのユーザ数および平均需要割合を含む属性を記憶し、
分岐エリア内の指定ケーブルのケーブル在庫媒体数を計算するのに必要な通信媒体の使用状態を含む属性を読み込み、
前記配線ブロックにおける属性、前記指定ケーブルの通信媒体の属性、および前記分岐エリア在庫媒体数の計算ルールから分岐エリア在庫媒体数を計算する
ことを特徴とする請求項２２記載の通信媒体選定方法。
【請求項２４】
前記通信媒体を選定する処理は、
ケーブル接続情報から指定配線点下部側のケーブルツリー情報を生成し、この生成したケーブルツリーによって分岐エリアの範囲を定め、
各分岐エリアにおける分岐エリア在庫媒体数を比較し、
予め設定した優先順位順に従って通信媒体を抽出する
ことを特徴とする請求項２２記載の通信媒体選定方法。
【請求項２５】
複数の通信媒体をまとめて構成されるケーブルから需要点に対する通信媒体を選定する通信媒体選定プログラムを記録した記録媒体であって、
通信媒体を選定する毎に需要点下部の分岐エリア内に属する個々のケーブル在庫心線数を加算して得られる分岐エリア毎の分岐エリア在庫媒体数を計算し、
この計算された分岐エリア毎の分岐エリア在庫媒体数を記憶し、
通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定する
ことを特徴とする通信媒体選定プログラムを記録した記録媒体。
【請求項２６】
前記分岐エリア在庫媒体数を計算する処理は、
各分岐エリアにおける分岐エリア在庫媒体数を計算するルールを予め設定し、
分岐エリア在庫媒体数を計算するのに必要な個々のケーブルが通信媒体を提供することが可能な範囲である配線ブロックのユーザ数および平均需要割合を含む属性を記憶し、
分岐エリア内の指定ケーブルのケーブル在庫媒体数を計算するのに必要な通信媒体の使用状態を含む属性を読み込み、
前記配線ブロックにおける属性、前記指定ケーブルの通信媒体の属性、および前記分岐エリア在庫媒体数の計算ルールから分岐エリア在庫媒体数を計算する
ことを特徴とする請求項２５記載の通信媒体選定プログラムを記録した記録媒体。
【請求項２７】
前記通信媒体を選定する処理は、
ケーブル接続情報から指定配線点下部側のケーブルツリー情報を生成し、この生成したケーブルツリーによって分岐エリアの範囲を定め、
各分岐エリアにおける分岐エリア在庫媒体数を比較し、
予め設定した優先順位順に従って通信媒体を抽出する
ことを特徴とする請求項２５記載の通信媒体選定プログラムを記録した記録媒体。
【発明の詳細な説明】
【技術分野】
【０００１】
本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定装置および方法と通信媒体選定プログラムを記録した記録媒体に関する。
【背景技術】
【０００２】
従来技術を説明する前に、本明細書で使用する用語について説明する。
【０００３】
まず、集合構造体をなす通信媒体とその切断について説明する。例えば、光ファイバケーブルなどの通信媒体は、ケーブルの高密度化、接続作業の向上などの理由から複数の通信媒体をまとめて構成される１つの集合構造体である通信媒体集合体となるように作られている。そのため、１本の通信媒体のみを切断して使用することができず、集合構造体単位での切断および使用が行なわれる。
【０００４】
図９を参照して、集合構造体をなす通信媒体とその切断について具体的に説明する。図９（ａ）は、階層的に構成される集合構造体の一例を説明するための図であり、（イ）は４心の集合から構成されるテープ状の集合構造体を示し、（ロ）はこのテープ状の集合構造体を５枚接合して構成される集合構造体を示し、（ハ）はこの集合構造体をケーブルに組み込んだ集合構造体を示している。なお、図９（ａ）の（ハ）に示す集合構造体は、中心に設けられた鋼線の周囲にテープ集合収容部が設けられ、このテープ集合収容部の凹部内に５個のテープ集合体が収容され、そのうちの１つの凹部に作業用通信媒体が収容されている。そして、これらの周囲は保護被覆部で保護され、最外側には外皮が設けられている。
【０００５】
また、図９（ｂ）は、４心の光ファイバから構成される集合構造体を切断して、ばらばらの単心に分離し、そのうちの２心を使用し、残りの２心を空き（在庫となる）にした状態を示している。更に、図９（ｃ）は、集合構造体の別の例を示している。この集合構造体は、単心の通信媒体が複数心集まって１つのチューブに収められ、このチューブが複数集まってケーブルを構成しているものである。すなわち、この集合構造体は、中心に設けられた鋼線の周囲に６個のチューブが設けられ、各チューブは中心に銅線を有し、この鋼線の周囲に４本の単心通信媒体とこれらの通信媒体を固定するためのバランサが設けられ、この６個のチューブの周囲は外皮で包まれて保護されている。
【０００６】
次に、図９で示したように構成されるケーブルに収容されている通信媒体を選択する場合などに使用する若番、老番について説明する。若番、老番は番号の大小を表す概念であり、ある番号より相対的に小さい番号を若番、大きい番号を老番という。
【０００７】
また、点設備とは、通信媒体の接続および分岐を行なうべくケーブルに沿って配置されている設備であり、例えば電柱、マンホール、ハンドホールなどのようにケーブルが通過する設備である。この点設備において通信媒体の接続や分岐を行なう。この点設備は、図１０において（イ）に示すように、通信装置収容局から延出するケーブルに沿って設けられている。
【０００８】
ケーブルを利用者の家屋やビルまで配線するためには、あるポイントでケーブルから通信媒体を取り出す必要があるが、この通信媒体を取り出す点を配線点と称する。この配線点は、図１０において（ロ）で示すように、通常点設備上に存在する。
【０００９】
また、上部、下部という用語は、方向の概念を示す用語であり、例えば図１０において（ハ）で示すように、通信線路上のある１点において通信装置を収容している通信装置収容局の方向を上部、端末の接続されている加入者側を下部と称する。
【００１０】
リーフケーブルとは、図１０において（ニ）で示すように、自分の下部側において他のケーブルと接続されていない末端に位置するケーブルである。
【００１１】
また、通信媒体の配線は、面状に広がったユーザに通信サービスを提供するために、図１０において（ホ）で示すように、何ヶ所かで分岐される。
【００１２】
図１１を参照して、光分岐モジュールについて説明する。同図に示す光分岐モジュール１１１は、光通信媒体を試験するために、試験光を通信媒体に対して入力させたり、出力させるものであり、通信装置１１２や通信端末１１３に接続されている通信媒体と接続するためのコネクタ１１１ａ、１１１ｂ、試験光を結合するための光カプラ１１１ｃ、サービス提供波長などを遮断するフィルタ１１１ｄなどから構成されている。この光分岐モジュールは、通信、試験に用いる波長、試験光を遮断するフィルタの有無、コネクタの反射特性などにより複数の種類が存在する。
【００１３】
通信媒体の使用区分という用語は、通信媒体の使用状態を示す区分を示すものであって、例えば「空き」「使用中」「予約」「故障」「端末空き」「単心化空き」などがある。端末空きとは、下部側で他の通信媒体と接続されてなく、かつ「空き」状態の通信媒体のことであり、単心化空きとは、集合構造体が単心化され、かつ「空き」状態の通信媒体のことである。図１２は、配線点における通信媒体の上述した使用区分を示している。
【００１４】
次に、従来の通信媒体選定装置について図１３を参照して説明する。図１３に示す従来の通信媒体選定装置は、制御部１１０、選定部１２２、通信媒体使用区分記憶部１２４、コマンド処理部１２６、配線点記憶部１２８、出力部１３２、入力部１３４、入出力インタフェース部１４０、ネットワーク１５０、および入出力装置１５２から構成されている。
【００１５】
従来の通信媒体選定装置により通信媒体の選定を行なうには、通信媒体選定者は、ネットワーク１５０を介してまたは入出力装置１５２を用いて、選定コマンドおよび通信媒体に対する新規需要のあった地点に近い点設備を特定する点設備特定情報を入出力インタフェース部１４０に入力する。この入出力インタフェース部１４０に入力された選定コマンドおよび点設備特定情報は、制御部１１０の指示により入力部１３４に読み込まれ、更に制御部１１０の指示により入力部１３４からコマンド処理部１２６に送られる。
【００１６】
コマンド処理部１２６は、制御部１１０の指示により、選定コマンドを解析し、点設備特定情報を選定部１２２に供給するとともに、選定処理の実行を選定部１２２に指示する。選定部１２２は、制御部１１０の指示により、配線点記憶部１２８から当該点設備に配線点が存在するか否かの確認を行い、配線点が存在する場合には、選定部１２２は通信媒体使用区分記憶部１２４から該配線点を通過する通信媒体の使用区分を読み込み、この読み込んだ通信媒体使用区分から該配線点に端末空きまたは単心化空きの通信媒体が存在するか否かを判定し、存在する場合には、該通信媒体を選定し、また存在しない場合には、新規に該配線点を通過している空き集合構造体を切断するために若番から通信媒体の選定を行い、この処理結果を通信媒体使用区分記憶部１２４および出力部１３２に供給する。
【００１７】
また、配線点の存在の確認において、配線点が存在しない場合には、媒体選定処理の継続が不可能であるので、エラーとして処理を終了する。
【００１８】
なお、通信媒体使用区分記憶部１２４に送られたデータは、制御部１１０の指示により所定の位置のデータを使用中に変更して記憶される。また、出力部１３２に送られた処理結果は、制御部１１０の指示により入出力インタフェース部１４０を介してネットワーク１５０または入出力装置１５２に送信される。
【発明の開示】
【発明が解決しようとする課題】
【００１９】
上述したように、通信媒体の選定には配線点情報が必要であるが、入力された点設備情報から選定を行なうためには、予め点設備Ｘに対応する配線点Ｙのデータを作成しておく必要があり、この場合、例えば図１４に示すように、複数の点設備が１つの配線点に対応している多：１の対応データを作成しておかなければならないという問題がある。また、点設備Ｘ対配線点Ｙの対応データが存在しない場合には、通信媒体の選定処理を継続することができないという問題がある。
【００２０】
更に、通信媒体選定者によって指定された点設備に目的とする通信媒体ケーブルとは伝送方式が異なるなどのように種類の異なる通信媒体ケーブルしか存在しない場合には、通信媒体の選定処理を継続することができないという問題がある。
【００２１】
また、通信媒体の選定においては、通信媒体使用率の向上が重要であり、すなわちできるだけ多くの需要に対して対応できることが求められるが、従来の通信媒体選定装置では需要発生点の下部側の通信媒体使用率の記憶機能や判断機能がなく、指定された配線点において通信媒体の若番から順に通信媒体を選定するしかなく、そのため、ある配線点に需要が集中した場合には、それよりも下部側で発生した需要に対応する通信媒体が残ってなく、ケーブル全体では通信媒体使用率が低いにも関わらず、需要に対応できないことがあるという問題がある。
【００２２】
また更に、通信媒体の選定においては、光分岐モジュールを使用して、通信媒体や通信端末の試験を行い、正常か否かを検査するために通信装置側で通信媒体と接続している光分岐モジュールの種別を考慮する必要があるが、従来の通信媒体選定装置では光媒体選定に使用するための光分岐モジュール種別情報、接続情報などの記憶機能や判断機能がなく、通信媒体の選定後に人手により確認しなければならないという問題がある。
【００２３】
このため、通信媒体の選定時間がかかり、適切な光分岐モジュール種別が接続されていない通信媒体の場合には、再度通信媒体の選定をやり直さなければならないという問題がある。
【００２４】
本発明は、上記に鑑みてなされたもので、その目的とするところは、近傍点設備からケーブルに沿って配線点を検索し、ケーブルの通信媒体使用率を比較して使用率を向上させ得るように通信媒体を選定するとともに、光分岐モジュールの種別を考慮して使用可能な通信媒体を選定し得る通信媒体選定装置および方法と通信媒体選定プログラムを記録した記録媒体を提供することにある。
【課題を解決するための手段】
【００２５】
上記目的を達成するため、請求項１記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定装置であって、通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定するケーブル属性判定手段と、この判定の結果、ケーブル属性が目的に合ったものでない場合には、目的に合った属性のケーブルを当該ケーブルに沿って検索するケーブル検索手段と、前記判定の結果、ケーブル属性が目的に合ったものである場合、当該ケーブルから通信媒体を取り出すための配線点を当該ケーブルに沿って特定し、ケーブル属性が目的に合ったものでない場合には、前記ケーブル検索手段で検索した目的の属性のケーブルに沿って配線点を特定する配線点特定手段と、この特定された配線点から通信媒体を選定する通信媒体選定手段とを有することを要旨とする。
【００２６】
請求項１記載の本発明にあっては、通信媒体の需要のあった地点に近い近傍点設備に敷設されているケーブルの属性が目的に合ったものか否かを判定し、ケーブル属性が目的に合ったものである場合、当該ケーブルに沿って配線点を特定し、ケーブル属性が目的に合ったものでない場合には、目的に合った属性のケーブルを当該ケーブルに沿って検索して、検索した目的の属性のケーブルに沿って配線点を特定し、この特定した配線点から通信媒体を選定するため、目的に合った属性のケーブルに沿って配線点を効率的に特定できる。
【００２７】
請求項２記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定装置であって、通信媒体に接続された光分岐モジュールが使用可能なものであるか否かを判断する光分岐モジュール判断手段と、この判断の結果、使用可能な光分岐モジュールに接続された通信媒体を選定する通信媒体選定手段とを有することを要旨とする。
【００２８】
請求項２記載の本発明にあっては、通信媒体に接続された光分岐モジュールが使用可能なものであるか否かを判断し、使用可能な光分岐モジュールに接続された通信媒体を選定するため、従来のように通信媒体の選定後に人手により光分岐モジュールを確認する必要がなく、通信媒体の選定のやり直しがなく、効率化および迅速化を図ることができる。
【００２９】
また、請求項３記載の本発明は、請求項１記載の本発明において、前記ケーブル属性判定手段が、ケーブルを特定するケーブル特定情報に対応して該ケーブルの属性情報を各ケーブル毎に記憶するケーブル属性記憶手段と、前記近傍点設備に敷設されているケーブルの属性情報を前記ケーブル属性情報記憶手段から読み出し、この読み出したケーブル属性情報が前記目的のケーブル属性に合ったものであるか否かを判断するケーブル属性判断手段とを有し、前記ケーブル検索手段が、ケーブルを特定するケーブル特定情報に対応して該ケーブルに接続されているケーブルを特定するケーブル特定情報を各ケーブル毎に記憶するケーブル接続情報記憶手段と、前記ケーブル属性判断手段による判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行なう手段とを有し、前記配線点特定手段が、ケーブルを特定するケーブル特定情報に対応して該ケーブルに存在する配線点を特定する配線点特定情報を各ケーブル毎に記憶する配線点記憶手段と、前記目的のケーブル属性に合った属性のケーブルに沿って該ケーブルの配線点特定情報を前記配線点記憶手段から読み出し、この読み出した配線点特定情報で特定される配線点を出力する特定配線点出力手段とを有することを要旨とする。
【００３０】
請求項３記載の本発明にあっては、近傍点設備に敷設されているケーブルの属性情報をケーブル属性情報記憶手段から読み出し、この属性情報が目的のケーブル属性に合ったものであるか否かを判断し、この判断の結果、ケーブル属性が目的に合ったものでない場合には、近傍点設備に敷設されているケーブルに接続されているケーブル特定情報をケーブル接続情報記憶手段から読み出し、このケーブル特定情報で特定されるケーブルに前記目的に合った属性のケーブルの検索を行ない、目的のケーブル属性に合ったケーブルに沿って該ケーブルの配線点特定情報を配線点記憶手段から読み出し、この読み出した配線点特定情報で特定される配線点を出力するため、配線点を適確かつ効率的に得ることができる。
【００３１】
更に、請求項４記載の本発明は、請求項１または３記載の本発明において、前記通信媒体選定手段が、優先して選定すべき通信媒体の優先順位を予め設定する優先順位設定手段と、通信媒体を特定する通信媒体特定情報に対応して該通信媒体の使用状態を各通信媒体毎に記憶する通信媒体使用状態記憶手段と、前記特定された配線点において選定対象となる通信媒体の使用状態を前記通信媒体使用状態記憶手段から読み出し、この読み出した通信媒体使用状態を前記優先順位設定手段で設定されている優先順位と比較する優先順位比較手段と、この比較の結果、前記配線点において使用可能な通信媒体を前記優先順に抽出する優先媒体抽出手段とを有することを要旨とする。
【００３２】
請求項４記載の本発明にあっては、特定された配線点において選定対象となる通信媒体の使用状態を通信媒体使用状態記憶手段から読み出し、この通信媒体使用状態を優先順位と比較し、この比較の結果、配線点において使用可能な通信媒体を優先順に抽出するため、適確な通信媒体を効率的に選定でき、通信媒体の使用率を向上することができる。
【００３３】
請求項５記載の本発明は、請求項４記載の本発明において、前記通信媒体選定手段が、前記優先順位比較手段における比較結果に基づき、前記配線点において通信媒体を選定するために該通信媒体を含む通信媒体集合体またはケーブルを切断する必要があるか否かを判定する切断判定手段と、この判定の結果、ケーブルを切断する必要がある場合には、前記配線点を通過する通信媒体が接続されている末端のケーブルであるリーフケーブルを特定するリーフケーブル特定手段と、配線点において通信媒体を選定するためにケーブルを切断するための切断条件を予め設定する切断条件設定手段と、前記特定したリーフケーブルの通信媒体使用率を比較しながら前記切断条件設定手段で設定されているケーブル切断条件に基づき当該リーフケーブルの通信媒体使用率を並び替えする比較並び替え手段と、この並び替えられた通信媒体使用率から切断可能な通信媒体を抽出する通信媒体抽出手段とを有することを要旨とする。
【００３４】
請求項５記載の本発明にあっては、優先順位の比較結果に基づき、配線点において通信媒体を選定するために該通信媒体を含む通信媒体集合体またはケーブルを切断する必要があるか否かを判定し、ケーブルを切断する必要がある場合には、配線点を通過する通信媒体が接続されている末端のケーブルであるリーフケーブルを特定し、この特定したリーフケーブルの通信媒体使用率を比較しながらケーブル切断条件に基づき当該リーフケーブルの通信媒体使用率を並び替えし、この並び替えられた通信媒体使用率から切断可能な通信媒体を抽出するため、適確な通信媒体を効率的に選定でき、通信媒体の使用率を向上することができる。
【００３５】
また、請求項６記載の本発明は、請求項２記載の本発明において、前記光分岐モジュール判断手段が、通信媒体を特定する通信媒体特定情報に対応して該通信媒体に接続されている光分岐モジュールを特定する光分岐モジュール特定情報を各通信媒体毎に記憶する光分岐モジュール接続記憶手段と、光分岐モジュールを特定する光分岐モジュール特定情報に対応して該光分岐モジュールの属性を各光分岐モジュール毎に記憶する光分岐モジュール属性記憶手段と、通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定する光分岐モジュール使用条件充足判定手段とを有し、前記通信媒体選定手段が、前記光分岐モジュール使用条件充足判定手段の判定の結果に基づき前記光分岐モジュール使用条件を充足する光分岐モジュールが接続されている通信媒体を抽出する通信媒体抽出手段を有することを要旨とする。
【００３６】
請求項６記載の本発明にあっては、通信媒体に接続された光分岐モジュールの特定情報を光分岐モジュール接続記憶手段から読み出し、この光分岐モジュール特定情報に対応する光分岐モジュールの属性を光分岐モジュール属性記憶手段から読み出し、この光分岐モジュール属性が光分岐モジュール使用条件を充足するか否かを判定し、この判定結果から光分岐モジュール使用条件を充足する光分岐モジュールが接続されている通信媒体を抽出するため、従来のように通信媒体の選定後に人手により光分岐モジュールを確認する必要がなく、通信媒体の選定のやり直しがなく、効率化および迅速化を図ることができる。
【００３７】
請求項７記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定方法であって、通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定し、この判定の結果、ケーブル属性が目的に合ったものでない場合には、目的に合った属性のケーブルを当該ケーブルに沿って検索し、前記ケーブル属性の判定の結果、ケーブル属性が目的に合ったものである場合、当該ケーブルから通信媒体を取り出すための配線点を当該ケーブルに沿って特定し、ケーブル属性が目的に合ったものでない場合には、前記検索した目的の属性のケーブルに沿って配線点を特定し、この特定された配線点から通信媒体を選定することを要旨とする。
【００３８】
請求項７記載の本発明にあっては、通信媒体の需要のあった地点に近い近傍点設備に敷設されているケーブルの属性が目的に合ったものか否かを判定し、ケーブル属性が目的に合ったものである場合、当該ケーブルに沿って配線点を特定し、ケーブル属性が目的に合ったものでない場合には、目的に合った属性のケーブルを当該ケーブルに沿って検索して、検索した目的の属性のケーブルに沿って配線点を特定し、この特定した配線点から通信媒体を選定するため、目的に合った属性のケーブルに沿って配線点を効率的に特定できる。
【００３９】
また、請求項８記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定方法であって、通信媒体に接続された光分岐モジュールが使用可能なものであるか否かを判断し、この判断の結果、使用可能な光分岐モジュールに接続された通信媒体を選定することを要旨とする。
【００４０】
請求項８記載の本発明にあっては、通信媒体に接続された光分岐モジュールが使用可能なものであるか否かを判断し、使用可能な光分岐モジュールに接続された通信媒体を選定するため、従来のように通信媒体の選定後に人手により確認する必要がなく、通信媒体の選定のやり直しがなく、効率化および迅速化を図ることができる。
【００４１】
請求項９記載の本発明は、請求項７記載の本発明において、前記ケーブル属性が目的に合ったものであるか否かについての判定処理が、ケーブルを特定するケーブル特定情報に対応して該ケーブルの属性情報を各ケーブル毎にケーブル属性記憶手段に記憶し、前記近傍点設備に敷設されているケーブルの属性情報を前記ケーブル属性情報記憶手段から読み出し、この読み出したケーブル属性情報が前記目的のケーブル属性に合ったものであるか否かを判断し、前記ケーブルを検索する処理が、ケーブルを特定するケーブル特定情報に対応して該ケーブルに接続されているケーブルを特定するケーブル特定情報を各ケーブル毎にケーブル接続情報記憶手段に記憶し、前記ケーブル属性が目的にあるものであるか否かの判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行ない、前記配線点を特定する処理が、ケーブルを特定するケーブル特定情報に対応して該ケーブルに存在する配線点を特定する配線点特定情報を各ケーブル毎に配線点記憶手段に記憶し、前記目的のケーブル属性に合った属性のケーブルに沿って該ケーブルの配線点特定情報を前記配線点記憶手段から読み出し、この読み出した配線点特定情報で特定される配線点を出力することを要旨とする。
【００４２】
請求項９記載の本発明にあっては、近傍点設備に敷設されているケーブルの属性情報をケーブル属性情報記憶手段から読み出し、この属性情報が目的のケーブル属性に合ったものであるか否かを判断し、この判断の結果、ケーブル属性が目的に合ったものでない場合には、近傍点設備に敷設されているケーブルに接続されているケーブル特定情報をケーブル接続情報記憶手段から読み出し、このケーブル特定情報で特定されるケーブルに前記目的に合った属性のケーブルの検索を行ない、目的のケーブル属性に合ったケーブルに沿って該ケーブルの配線点特定情報を配線点記憶手段から読み出し、この読み出した配線点特定情報で特定される配線点を出力するため、配線点を適確かつ効率的に得ることができる。
【００４３】
また、請求項１０記載の本発明は、請求項７または９記載の本発明において、前記通信媒体を選定する処理が、優先して選定すべき通信媒体の優先順位を予め設定し、通信媒体を特定する通信媒体特定情報に対応して該通信媒体の使用状態を各通信媒体毎に通信媒体使用状態記憶手段に記憶し、前記特定された配線点において選定対象となる通信媒体の使用状態を前記通信媒体使用状態記憶手段から読み出し、この読み出した通信媒体使用状態を前記優先順位と比較し、この比較の結果、前記配線点において使用可能な通信媒体を前記優先順に抽出することを要旨とする。
【００４４】
請求項１０記載の本発明にあっては、特定された配線点において選定対象となる通信媒体の使用状態を通信媒体使用状態記憶手段から読み出し、この通信媒体使用状態を優先順位と比較し、この比較の結果、配線点において使用可能な通信媒体を優先順に抽出するため、適確な通信媒体を効率的に選定でき、通信媒体の使用率を向上することができる。
【００４５】
更に、請求項１１記載の本発明は、請求項１０記載の本発明において、前記通信媒体を選定する処理が、前記優先順位の比較結果に基づき、前記配線点において通信媒体を選定するために該通信媒体を含む通信媒体集合体またはケーブルを切断する必要があるか否かを判定し、この判定の結果、ケーブルを切断する必要がある場合には、前記配線点を通過する通信媒体が接続されている末端のケーブルであるリーフケーブルを特定し、配線点において通信媒体を選定するためにケーブルを切断するためのケーブル切断条件を予め設定し、前記特定したリーフケーブルの通信媒体使用率を比較しながら前記ケーブル切断条件に基づき当該リーフケーブルの通信媒体使用率を並び替えし、この並び替えられた通信媒体使用率から切断可能な通信媒体を抽出することを要旨とする。
【００４６】
請求項１１記載の本発明にあっては、優先順位の比較結果に基づき、配線点において通信媒体を選定するために該通信媒体を含む通信媒体集合体またはケーブルを切断する必要があるか否かを判定し、ケーブルを切断する必要がある場合には、配線点を通過する通信媒体が接続されている末端のケーブルであるリーフケーブルを特定し、この特定したリーフケーブルの通信媒体使用率を比較しながらケーブル切断条件に基づき当該リーフケーブルの通信媒体使用率を並び替えし、この並び替えられた通信媒体使用率から切断可能な通信媒体を抽出するため、適確な通信媒体を効率的に選定でき、通信媒体の使用率を向上することができる。
【００４７】
請求項１２記載の本発明は、請求項８記載の本発明において、前記光分岐モジュールが使用可能なものであるか否かを判断する処理が、通信媒体を特定する通信媒体特定情報に対応して該通信媒体に接続されている光分岐モジュールを特定する光分岐モジュール特定情報を各通信媒体毎に光分岐モジュール接続記憶手段に記憶し、光分岐モジュールを特定する光分岐モジュール特定情報に対応して該光分岐モジュールの属性を各光分岐モジュール毎に光分岐モジュール属性記憶手段に記憶し、通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定し、前記通信媒体を選定する処理が、前記光分岐モジュール使用条件を充足するか否かについての判定の結果に基づき前記光分岐モジュール使用条件を充足する光分岐モジュールが接続されている通信媒体を抽出することを要旨とする。
【００４８】
請求項１２記載の本発明にあっては、通信媒体に接続された光分岐モジュールの特定情報を光分岐モジュール接続記憶手段から読み出し、この光分岐モジュール特定情報に対応する光分岐モジュールの属性を光分岐モジュール属性記憶手段から読み出し、この光分岐モジュール属性が光分岐モジュール使用条件を充足するか否かを判定し、この判定結果から光分岐モジュール使用条件を充足する光分岐モジュールが接続されている通信媒体を抽出するため、従来のように通信媒体の選定後に人手により光分岐モジュールを確認する必要がなく、通信媒体の選定のやり直しがなく、効率化および迅速化を図ることができる。
【００４９】
更に、請求項１３記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定プログラムを記録した記録媒体であって、通信媒体の接続および分岐を行なうべくケーブルに沿って配置されている点設備のうち、通信媒体の需要のあった地点に近い近傍点設備に敷設されているケーブルの属性が通信媒体の需要において必要とする目的のケーブル属性に合ったものであるか否かを判定し、この判定の結果、ケーブル属性が目的に合ったものでない場合には、目的に合った属性のケーブルを当該ケーブルに沿って検索し、前記ケーブル属性の判定の結果、ケーブル属性が目的に合ったものである場合、当該ケーブルから通信媒体を取り出すための配線点を当該ケーブルに沿って特定し、ケーブル属性が目的に合ったものでない場合には、前記検索した目的の属性のケーブルに沿って配線点を特定し、この特定された配線点から通信媒体を選定する通信媒体選定プログラムを記録媒体に記録することを要旨とする。
【００５０】
請求項１３記載の本発明にあっては、通信媒体の需要のあった地点に近い近傍点設備に敷設されているケーブルの属性が目的に合ったものか否かを判定し、ケーブル属性が目的に合ったものである場合、当該ケーブルに沿って配線点を特定し、ケーブル属性が目的に合ったものでない場合には、目的に合った属性のケーブルを当該ケーブルに沿って検索して、検索した目的の属性のケーブルに沿って配線点を特定し、この特定した配線点から通信媒体を選定する通信媒体選定プログラムを記録媒体に記録しているため、該記録媒体を用いて、その流通性を高めることができる。
【００５１】
請求項１４記載の本発明は、複数の通信媒体をまとめて構成される通信媒体集合体を更に複数まとめて形成されるケーブルを敷設して構成される通信線路において通信媒体の需要に対してケーブルから通信媒体を選定する通信媒体選定プログラムを記録した記録媒体であって、通信媒体に接続された光分岐モジュールが使用可能なものであるか否かを判断し、この判断の結果、使用可能な光分岐モジュールに接続された通信媒体を選定する通信媒体選定プログラムを記録媒体に記録することを要旨とする。
【００５２】
請求項１４記載の本発明にあっては、通信媒体に接続された光分岐モジュールが使用可能なものであるか否かを判断し、使用可能な光分岐モジュールに接続された通信媒体を選定する通信媒体選定プログラムを記録媒体に記録しているため、該記録媒体を用いて、その流通性を高めることができる。
【００５３】
更に、請求項１５記載の本発明は、請求項１３記載の本発明において、前記ケーブル属性が目的に合ったものであるか否かについての判定処理が、ケーブルを特定するケーブル特定情報に対応して該ケーブルの属性情報を各ケーブル毎にケーブル属性記憶手段に記憶し、前記近傍点設備に敷設されているケーブルの属性情報を前記ケーブル属性情報記憶手段から読み出し、この読み出したケーブル属性情報が前記目的のケーブル属性に合ったものであるか否かを判断し、前記ケーブルを検索する処理が、ケーブルを特定するケーブル特定情報に対応して該ケーブルに接続されているケーブルを特定するケーブル特定情報を各ケーブル毎にケーブル接続情報記憶手段に記憶し、前記ケーブル属性が目的にあるものであるか否かの判断の結果、ケーブル属性が目的に合ったものでない場合には、前記近傍点設備に敷設されているケーブルに接続されているケーブル特定情報を前記ケーブル接続情報記憶手段から読み出し、この読み出したケーブル特定情報で特定されるケーブルに沿って前記目的に合った属性のケーブルの検索を行ない、前記配線点を特定する処理が、ケーブルを特定するケーブル特定情報に対応して該ケーブルに存在する配線点を特定する配線点特定情報を各ケーブル毎に配線点記憶手段に記憶し、前記目的のケーブル属性に合った属性のケーブルに沿って該ケーブルの配線点特定情報を前記配線点記憶手段から読み出し、この読み出した配線点特定情報で特定される配線点を出力する通信媒体選定プログラムを記録媒体に記録することを要旨とする。
【００５４】
請求項１５記載の本発明にあっては、近傍点設備に敷設されているケーブルの属性情報をケーブル属性情報記憶手段から読み出し、この属性情報が目的のケーブル属性に合ったものであるか否かを判断し、この判断の結果、ケーブル属性が目的に合ったものでない場合には、近傍点設備に敷設されているケーブルに接続されているケーブル特定情報をケーブル接続情報記憶手段から読み出し、このケーブル特定情報で特定されるケーブルに前記目的に合った属性のケーブルの検索を行ない、目的のケーブル属性に合ったケーブルに沿って該ケーブルの配線点特定情報を配線点記憶手段から読み出し、この読み出した配線点特定情報で特定される配線点を出力する通信媒体選定プログラムを記録媒体に記録しているため、該記録媒体を用いて、その流通性を高めることができる。
【００５５】
請求項１６記載の本発明は、請求項１３または１５記載の本発明において、前記通信媒体を選定する処理が、優先して選定すべき通信媒体の優先順位を予め設定し、通信媒体を特定する通信媒体特定情報に対応して該通信媒体の使用状態を各通信媒体毎に通信媒体使用状態記憶手段に記憶し、前記特定された配線点において選定対象となる通信媒体の使用状態を前記通信媒体使用状態記憶手段から読み出し、この読み出した通信媒体使用状態を前記優先順位と比較し、この比較の結果、前記配線点において使用可能な通信媒体を前記優先順に抽出する通信媒体選定プログラムを記録媒体に記録することを要旨とする。
【００５６】
請求項１６記載の本発明にあっては、特定された配線点において選定対象となる通信媒体の使用状態を通信媒体使用状態記憶手段から読み出し、この通信媒体使用状態を優先順位と比較し、この比較の結果、配線点において使用可能な通信媒体を優先順に抽出する通信媒体選定プログラムを記録媒体に記録しているため、該記録媒体を用いて、その流通性を高めることができる。
【００５７】
また、請求項１７記載の本発明は、請求項１６記載の本発明において、前記通信媒体を選定する処理が、前記優先順位の比較結果に基づき、前記配線点において通信媒体を選定するために該通信媒体を含む通信媒体集合体またはケーブルを切断する必要があるか否かを判定し、この判定の結果、ケーブルを切断する必要がある場合には、前記配線点を通過する通信媒体が接続されている末端のケーブルであるリーフケーブルを特定し、配線点において通信媒体を選定するためにケーブルを切断するためのケーブル切断条件を予め設定し、前記特定したリーフケーブルの通信媒体使用率を比較しながら前記ケーブル切断条件に基づき当該リーフケーブルの通信媒体使用率を並び替えし、この並び替えられた通信媒体使用率から切断可能な通信媒体を抽出する通信媒体選定プログラムを記録媒体に記録することを要旨とする。
【００５８】
請求項１７記載の本発明にあっては、優先順位の比較結果に基づき、配線点において通信媒体を選定するために該通信媒体を含む通信媒体集合体またはケーブルを切断する必要があるか否かを判定し、ケーブルを切断する必要がある場合には、配線点を通過する通信媒体が接続されている末端のケーブルであるリーフケーブルを特定し、この特定したリーフケーブルの通信媒体使用率を比較しながらケーブル切断条件に基づき当該リーフケーブルの通信媒体使用率を並び替えし、この並び替えられた通信媒体使用率から切断可能な通信媒体を抽出する通信媒体選定プログラムを記録媒体に記録しているため、該記録媒体を用いて、その流通性を高めることができる。
【００５９】
更に、請求項１８記載の本発明は、請求項１４記載の本発明において、前記光分岐モジュールが使用可能なものであるか否かを判断する処理が、通信媒体を特定する通信媒体特定情報に対応して該通信媒体に接続されている光分岐モジュールを特定する光分岐モジュール特定情報を各通信媒体毎に光分岐モジュール接続記憶手段に記憶し、光分岐モジュールを特定する光分岐モジュール特定情報に対応して該光分岐モジュールの属性を各光分岐モジュール毎に光分岐モジュール属性記憶手段に記憶し、通信媒体に接続された光分岐モジュールの特定情報を前記光分岐モジュール接続記憶手段から読み出し、この読み出した光分岐モジュール特定情報に対応する光分岐モジュールの属性を前記光分岐モジュール属性記憶手段から読み出し、この読み出した光分岐モジュール属性が光分岐モジュール使用条件を充足するか否かを判定し、前記通信媒体を選定する処理が、前記光分岐モジュール使用条件を充足するか否かについての判定の結果に基づき前記光分岐モジュール使用条件を充足する光分岐モジュールが接続されている通信媒体を抽出する通信媒体選定プログラムを記録媒体に記録することを要旨とする。
【００６０】
請求項１８記載の本発明にあっては、通信媒体に接続された光分岐モジュールの特定情報を光分岐モジュール接続記憶手段から読み出し、この光分岐モジュール特定情報に対応する光分岐モジュールの属性を光分岐モジュール属性記憶手段から読み出し、この光分岐モジュール属性が光分岐モジュール使用条件を充足するか否かを判定し、この判定結果から光分岐モジュール使用条件を充足する光分岐モジュールが接続されている通信媒体を抽出する通信媒体選定プログラムを記録媒体に記録しているため、該記録媒体を用いて、その流通性を高めることができる。
【００６１】
請求項１９記載の本発明は、複数の通信媒体をまとめて構成されるケーブルから需要点に対する通信媒体を選定する通信媒体選定装置であって、通信媒体を選定する毎に需要点下部の分岐エリア内に属する個々のケーブル在庫心線数を加算して得られる分岐エリア毎の分岐エリア在庫媒体数を計算する分岐エリア在庫媒体数計算手段と、この計算された分岐エリア毎の分岐エリア在庫媒体数を記憶する分岐エリア在庫媒体数記憶手段と、通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定する通信媒体選定手段とを有することを要旨とする。
【００６２】
請求項１９記載の本発明にあっては、通信媒体を選定する毎に需要点下部の分岐エリア毎の分岐エリア在庫媒体数を計算し、この計算された分岐エリア在庫媒体数を記憶し、媒体の選定に当たって、各分岐エリアにおける分岐エリア在庫媒体数を読み出して分岐エリア毎に比較し、この比較結果に基づき通信媒体を選定するため、接続数の多いケーブルと接続数の少ないケーブルが混在するエリアであっても媒体使用率を向上することができるとともに、また媒体の選定時点までの各需要発生点における媒体選定結果が分岐エリア在庫媒体数に反映されることから媒体使用率を向上することができる。
【００６３】
また、請求項２０記載の本発明は、請求項１９記載の本発明において、前記分岐エリア在庫媒体数計算手段が、各分岐エリアにおける分岐エリア在庫媒体数を計算するルールを予め設定する計算ルール設定手段と、分岐エリア在庫媒体数を計算するのに必要な個々のケーブルが通信媒体を提供することが可能な範囲である配線ブロックのユーザ数および平均需要割合を含む属性を記憶する配線ブロック属性記憶手段と、分岐エリア内の指定ケーブルのケーブル在庫媒体数を計算するのに必要な通信媒体の使用状態を含む属性を読み込む属性読込手段と、前記配線ブロックにおける属性、前記指定ケーブルの通信媒体の属性、および前記分岐エリア在庫媒体数の計算ルールから分岐エリア在庫媒体数を計算する計算手段とを有することを要旨とする。
【００６４】
請求項２０記載の本発明にあっては、各分岐エリアにおける分岐エリア在庫媒体数を計算するルールを予め設定し、分岐エリア在庫媒体数を計算するのに必要な個々のケーブルが媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、配線ブロックにおける属性、指定ケーブルの通信媒体の属性、分岐エリア在庫媒体数の計算ルールから分岐エリア在庫媒体数を計算するため、分岐エリア全体での在庫媒体数を求めることから、配線ブロック単位での媒体割当数を個別に指定する必要がなく、また需要予測が正確でない場合でも媒体使用率を向上させることができる。
【００６５】
更に、請求項２１記載の本発明は、請求項１９記載の本発明において、前記通信媒体選定手段が、ケーブル接続情報から指定配線点下部側のケーブルツリー情報を生成し、この生成したケーブルツリーによって分岐エリアの範囲を定める分岐エリア範囲設定手段と、各分岐エリアにおける分岐エリア在庫媒体数を比較する分岐エリア在庫媒体数比較手段と、予め設定した優先順位順に従って通信媒体を抽出する優先媒体抽出手段とを有することを要旨とする。
【００６６】
請求項２１記載の本発明にあっては、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出するため、分岐エリアの情報を予め記憶しなくても自動的に生成することができる。
【００６７】
請求項２２記載の本発明は、複数の通信媒体をまとめて構成されるケーブルから需要点に対する通信媒体を選定する通信媒体選定方法であって、通信媒体を選定する毎に需要点下部の分岐エリア内に属する個々のケーブル在庫心線数を加算して得られる分岐エリア毎の分岐エリア在庫媒体数を計算し、この計算された分岐エリア毎の分岐エリア在庫媒体数を記憶し、通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定することを要旨とする。
【００６８】
請求項２２記載の本発明にあっては、通信媒体を選定する毎に需要点下部の分岐エリア毎の分岐エリア在庫媒体数を計算し、この計算された分岐エリア在庫媒体数を記憶し、媒体の選定に当たって、各分岐エリアにおける分岐エリア在庫媒体数を読み出して分岐エリア毎に比較し、この比較結果に基づき通信媒体を選定するため、接続数の多いケーブルと接続数の少ないケーブルが混在するエリアであっても媒体使用率を向上することができるとともに、また媒体の選定時点までの各需要発生点における媒体選定結果が分岐エリア在庫媒体数に反映されることから媒体使用率を向上することができる。
【００６９】
また、請求項２３記載の本発明は、請求項２２記載の本発明において、前記分岐エリア在庫媒体数を計算する処理が、各分岐エリアにおける分岐エリア在庫媒体数を計算するルールを予め設定し、分岐エリア在庫媒体数を計算するのに必要な個々のケーブルが通信媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、前記配線ブロックにおける属性、前記指定ケーブルの通信媒体の属性、および前記分岐エリア在庫媒体数の計算ルールから分岐エリア在庫媒体数を計算することを要旨とする。
【００７０】
請求項２３記載の本発明にあっては、各分岐エリアにおける分岐エリア在庫媒体数を計算するルールを予め設定し、分岐エリア在庫媒体数を計算するのに必要な個々のケーブルが媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、配線ブロックにおける属性、指定ケーブルの通信媒体の属性、分岐エリア在庫媒体数の計算ルールから分岐エリア在庫媒体数を計算するため、分岐エリア全体での在庫媒体数を求めることから、配線ブロック単位での媒体割当数を個別に指定する必要がなく、また需要予測が正確でない場合でも媒体使用率を向上させることができる。
【００７１】
更に、請求項２４記載の本発明は、請求項２２記載の本発明において、前記通信媒体を選定する処理が、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出することを要旨とする。
【００７２】
請求項２４記載の本発明にあっては、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出するため、分岐エリアの情報を予め記憶しなくても自動的に生成することができる。
【００７３】
請求項２５記載の本発明は、複数の通信媒体をまとめて構成されるケーブルから需要点に対する通信媒体を選定する通信媒体選定プログラムを記録した記録媒体であって、通信媒体を選定する毎に需要点下部の分岐エリア内に属する個々のケーブル在庫心線数を加算して得られる分岐エリア毎の分岐エリア在庫媒体数を計算し、この計算された分岐エリア毎の分岐エリア在庫媒体数を記憶し、通信媒体の選定に当たって、需要発生点下部の各分岐エリアにおける分岐エリア在庫媒体数を前記分岐エリア在庫媒体数記憶手段から読み出して分岐エリア毎に比較し、この比較結果に基づき通信媒体を選定する通信媒体選定プログラムを記録媒体に記録することを要旨とする。
【００７４】
請求項２５記載の本発明にあっては、通信媒体を選定する毎に需要点下部の分岐エリア毎の分岐エリア在庫媒体数を計算し、この計算された分岐エリア在庫媒体数を記憶し、媒体の選定に当たって、各分岐エリアにおける分岐エリア在庫媒体数を読み出して分岐エリア毎に比較し、この比較結果に基づき通信媒体を選定する通信媒体選定プログラムを記録媒体に記録しているため、該記録媒体を用いて、その流通性を高めることができる。
【００７５】
また、請求項２６記載の本発明は、請求項２５記載の本発明において、前記分岐エリア在庫媒体数を計算する処理が、各分岐エリアにおける分岐エリア在庫媒体数を計算するルールを予め設定し、分岐エリア在庫媒体数を計算するのに必要な個々のケーブルが通信媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、前記配線ブロックにおける属性、前記指定ケーブルの通信媒体の属性、および前記分岐エリア在庫媒体数の計算ルールから分岐エリア在庫媒体数を計算する通信媒体選定プログラムを記録媒体に記録することを要旨とする。
【００７６】
請求項２６記載の本発明にあっては、各分岐エリアにおける分岐エリア在庫媒体数を計算するルールを予め設定し、分岐エリア在庫媒体数を計算するのに必要な個々のケーブルが媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、配線ブロックにおける属性、指定ケーブルの通信媒体の属性、分岐エリア在庫媒体数の計算ルールから分岐エリア在庫媒体数を計算する通信媒体選定プログラムを記録媒体に記録しているため、該記録媒体を用いて、その流通性を高めることができる。
【００７７】
更に、請求項２７記載の本発明は、請求項２５記載の本発明において、前記通信媒体を選定する処理が、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出する通信媒体選定プログラムを記録媒体に記録することを要旨とする。
【００７８】
請求項２７記載の本発明にあっては、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出する通信媒体選定プログラムを記録媒体に記録しているため、該記録媒体を用いて、その流通性を高めることができる。
【発明の効果】
【００７９】
以上説明したように、本発明によれば、通信媒体を選定する毎に、ケーブルにおける通信媒体使用率を計算し、この計算した通信媒体使用率を使用率記憶手段に記憶更新し、通信媒体の選定に当たって、各ケーブルにおける通信媒体の使用率を使用率記憶手段から読み出して各ケーブル毎に比較し、この比較結果に基づいて通信媒体を選定するので、通信媒体の使用率を向上することができる。
【００８０】
また、本発明によれば、通信媒体の需要のあった地点に近い近傍点設備に敷設されているケーブルの属性が目的に合ったものか否かを判定し、ケーブル属性が目的に合ったものである場合、当該ケーブルに沿って配線点を特定し、ケーブル属性が目的に合ったものでない場合には、目的に合った属性のケーブルを当該ケーブルに沿って検索して、検索した目的の属性のケーブルに沿って配線点を特定し、この特定した配線点から通信媒体を選定するので、目的に合った属性のケーブルに沿って配線点を効率的に特定できる。
【００８１】
更に、本発明によれば、通信媒体に接続された光分岐モジュールが使用可能なものであるか否かを判断し、使用可能な光分岐モジュールに接続された通信媒体を選定するので、従来のように通信媒体の選定後に人手により確認する必要がなく、通信媒体の選定のやり直しがなく、効率化および迅速化を図ることができる。
【００８２】
本発明によれば、通信媒体の需要のあった地点に近い近傍点設備に敷設されているケーブルの属性が目的に合ったものか否かを判定し、ケーブル属性が目的に合ったものである場合、当該ケーブルに沿って配線点を特定し、ケーブル属性が目的に合ったものでない場合には、目的に合った属性のケーブルを当該ケーブルに沿って検索して、検索した目的の属性のケーブルに沿って配線点を特定し、この特定した配線点から通信媒体を選定する毎に、ケーブルにおける通信媒体使用率を計算し、この計算した通信媒体使用率を使用率記憶手段に記憶更新し、通信媒体の選定に当たって、各ケーブルにおける通信媒体の使用率を使用率記憶手段から読み出して各ケーブル毎に比較し、この比較結果に基づいて通信媒体を選定するとともに、該通信媒体に接続された光分岐モジュールが使用可能なものであるか否かを判断し、使用可能な光分岐モジュールに接続された通信媒体を選定するため、目的に合った属性のケーブルに沿って配線点を効率的に特定できるとともに、通信媒体の使用率を向上することができ、また使用可能な光分岐モジュールを選定でき、従来のように通信媒体の選定後に人手により確認する必要がなく、通信媒体の選定のやり直しがなく、効率化および迅速化を図ることができる。
【００８３】
また、本発明によれば、近傍点設備に敷設されているケーブルの属性情報をケーブル属性情報記憶手段から読み出し、この属性情報が目的のケーブル属性に合ったものであるか否かを判断し、この判断の結果、ケーブル属性が目的に合ったものでない場合には、近傍点設備に敷設されているケーブルに接続されているケーブル特定情報をケーブル接続情報記憶手段から読み出し、このケーブル特定情報で特定されるケーブルに前記目的に合った属性のケーブルの検索を行ない、目的のケーブル属性に合ったケーブルに沿って該ケーブルの配線点特定情報を配線点記憶手段から読み出し、この読み出した配線点特定情報で特定される配線点を出力するので、配線点を適確かつ効率的に得ることができる。
【００８４】
更に、本発明によれば、特定された配線点において選定対象となる通信媒体の使用状態を通信媒体使用状態記憶手段から読み出し、この通信媒体使用状態を優先順位と比較し、この比較の結果、配線点において使用可能な通信媒体を優先順に抽出するので、適確な通信媒体を効率的に選定でき、通信媒体の使用率を向上することができる。
【００８５】
本発明によれば、優先順位の比較結果に基づき、配線点において通信媒体を選定するために該通信媒体を含むケーブルを切断する必要があるか否かを判定し、ケーブルを切断する必要がある場合には、配線点を通過する通信媒体が接続されている末端のケーブルであるリーフケーブルを特定し、この特定したリーフケーブルの通信媒体使用率を比較しながらケーブル切断条件に基づき当該リーフケーブルの通信媒体使用率を並び替えし、この並び替えられた通信媒体使用率から切断可能な通信媒体を抽出するので、適確な通信媒体を効率的に選定でき、通信媒体の使用率を向上することができる。
【００８６】
また、本発明によれば、通信媒体に接続された光分岐モジュールの特定情報を光分岐モジュール接続記憶手段から読み出し、この光分岐モジュール特定情報に対応する光分岐モジュールの属性を光分岐モジュール属性記憶手段から読み出し、この光分岐モジュール属性が光分岐モジュール使用条件を充足するか否かを判定し、この判定結果から光分岐モジュール使用条件を充足する光分岐モジュールが接続されている通信媒体を抽出するので、従来のように通信媒体の選定後に人手により光分岐モジュールを確認する必要がなく、通信媒体の選定のやり直しがなく、効率化および迅速化を図ることができる。
【００８７】
本発明によれば、通信媒体を選定する毎に需要点下部の分岐エリア毎の分岐エリア在庫媒体数を計算し、この計算された分岐エリア在庫媒体数を記憶し、媒体の選定に当たって、各分岐エリアにおける分岐エリア在庫媒体数を読み出して分岐エリア毎に比較し、この比較結果に基づき通信媒体を選定するので、接続数の多いケーブルと接続数の少ないケーブルが混在するエリアであっても媒体使用率を向上することができるとともに、また媒体の選定時点までの各需要発生点における媒体選定結果が分岐エリア在庫媒体数に反映されることから媒体使用率を向上することができる。
【００８８】
また、本発明によれば、各分岐エリアにおける分岐エリア在庫媒体数を計算するルールを予め設定し、分岐エリア在庫媒体数を計算するのに必要な個々のケーブルが媒体を提供することが可能な範囲である配線ブロックのユーザ数および平均需要割合を含む属性を記憶し、分岐エリア内の指定ケーブルのケーブル在庫媒体数を計算するのに必要な通信媒体の使用状態を含む属性を読み込み、配線ブロックにおける属性、指定ケーブルの通信媒体の属性、分岐エリア在庫媒体数の計算ルールから分岐エリア在庫媒体数を計算するので、分岐エリア全体での在庫媒体数を求めることから、配線ブロック単位での媒体割当数を個別に指定する必要がなく、また需要予測が正確でない場合でも媒体使用率を向上させることができる。
【００８９】
更に、本発明によれば、ケーブル接続情報から指定配線点下部側のケーブルツリー情報を生成し、この生成したケーブルツリーによって分岐エリアの範囲を定め、各分岐エリアにおける分岐エリア在庫媒体数を比較し、予め設定した優先順位順に従って通信媒体を抽出するので、分岐エリアの情報を予め記憶しなくても自動的に生成することができる。
【発明を実施するための最良の形態】
【００９０】
以下、図面を用いて本発明の実施の形態を説明する。図１は、本発明の一実施形態に係わる通信媒体選定装置の構成を示すブロック図である。図１に示す通信媒体選定装置は、制御部２１０、通信媒体の選定手段を構成する選定部２２２、通信媒体使用状態記憶手段を構成する通信媒体使用区分記憶部２２４、コマンド処理部２２６、出力部２３２、入力部２３４、入出力インタフェース部２４０、ネットワーク２５０、入出力装置２５２、使用率記憶手段を構成する通信媒体使用率情報記憶部２６２、使用率計算手段を構成する通信媒体使用率計算部２６４、光分岐モジュール判断手段を構成する光分岐モジュール判断部２６６、および配線点特定手段を構成する配線点特定部２６８から構成されている。
【００９１】
前記配線点特定部２６８は、図２に示すように、ケーブル接続情報記憶手段を構成するケーブル接続記憶部３１０、ケーブル属性記憶手段を構成するケーブル属性記憶部３１２、ケーブル属性判定手段、ケーブル検索手段、ケーブル属性判断手段、特定配線点出力手段を構成する配線点選定部３１４、および配線点記憶手段を構成する配線点記憶部３１６から構成されている。前記選定部２２２は、図３に示すように、優先順位設定手段を構成する選定優先順位設定部１０１０、優先順位比較手段、比較並び替え手段を構成する優先順位比較部１０１２、優先媒体抽出手段、切断判定手段、通信媒体抽出手段を構成する優先媒体抽出部１０１４、切断条件設定手段を構成する通信媒体切断条件設定部１０２０、通信媒体使用率比較部１０２２、切断媒体抽出部１０２４、およびリーフケーブル特定手段を構成するリーフケーブル特定部１０２６から構成されている。前記光分岐モジュール判断部２６６は、図４に示すように、光分岐モジュール接続記憶手段を構成する光分岐モジュール接続記憶部４１０、光分岐モジュール属性記憶手段を構成する光分岐モジュール属性記憶部４１２、および光分岐モジュール使用条件充足判定手段を構成する判断部４１４から構成されている。
【００９２】
次に、図５に示すフローチャートを参照して、図１に示す通信媒体選定装置の作用について説明する。
【００９３】
例えば、図６において（イ）に示すように利用者の家屋やビルまで光ケーブルまたはメタルケーブルを新たに敷設する通信媒体の新規需要が発生したとすると、この新規需要に対して敷設するための通信媒体を選定する通信媒体選定者は、この新規需要のあった地点に近い点設備を特定する点設備特定情報、およびこの新規需要に応えて通信媒体を敷設した後に該通信媒体の試験などを行なうために使用する光分岐モジュールの使用条件を選定コマンドとともにネットワーク２５０を介してまたは入出力装置２５２から入出力インタフェース部２４０に入力する。この入出力インタフェース部２４０に入力された点設備特定情報、光分岐モジュール使用条件、および選定コマンドは、制御部２１０に指示により入力部２３４に読み込まれ、更に入力部２３４からコマンド処理部２２６に送られる。
【００９４】
コマンド処理部２２６は、制御部２１０の指示により選定コマンドを解析し、点設備特定情報を配線点特定部２６８に送るとともに、配線点特定部２６８に対して配線点特定処理の実行を指示する。
【００９５】
配線点特定部２６８においては、まず制御部２１０の指示により配線点選定部３１４が、前記特定された点設備に敷設されているケーブルの属性をケーブル属性記憶部３１２から読み出す（ステップＳ１０１）。そして、この読み出したケーブルの種別が目的とするものに一致するか否かを判定する（ステップＳ１０２）。すなわち、通信媒体選定者によって特定された点設備に設けられているケーブルの種別が例えば図６の（イ）において発生した新規需要で要求しているケーブルの種別、例えば光ケーブルに一致するか否かを判定する。読み出したケーブルの種別が目的とするものに一致する場合には、配線点選定部３１４は、配線点記憶部３１６から当該点設備におけるケーブルに沿って該ケーブルの配線点情報を読み出し（ステップＳ１０３）、この読み出した配線点情報から当該点設備に配線点が存在するか否かを判定する（ステップＳ１０４）。この判定の結果、配線点が存在する場合は、該配線点は目的とするものであるから、配線点選定部３１４は、制御部２１０の指示によりこの選択結果である配線点情報をコマンド処理部２２６に送る。
【００９６】
ステップＳ１０４の判定において、配線点が存在しない場合には、通信媒体選定者によって特定された点設備に敷設されているケーブルに辿って配線点を検出するために、配線点選定部３１４は、制御部２１０の指示によりケーブル接続記憶部３１０から当該点設備におけるケーブル接続情報を読み出し（ステップＳ１２０）、この読み出したケーブル接続情報からケーブル接続先が存在するか否かを判定する（ステップＳ１２１）。ケーブル接続先が存在しない場合は、ケーブルの端点まで検索したことになり、配線点が検出できないものであるため、エラー処理を行い（ステップＳ１５０）、本処理を終了する。
【００９７】
一方、ケーブル接続先が存在する場合は、ケーブル接続情報から接続先のケーブルと接続先のケーブルが敷設されている点設備を特定することができるので、配線点選定部３１４は制御部２１０の指示により接続先ケーブルのケーブル情報および点設備情報をケーブル接続記憶部３１０から読み出す（ステップＳ１２２）。このようにして接続先ケーブルから点設備情報が得られると、ステップＳ１０３に戻り、配線点選定部３１４は、この取得した点設備におけるケーブルの配線点情報を配線点記憶部３１６から読み出し（ステップＳ１０３）、更にこの読み出した配線点情報から当該点設備に配線点が存在するか否かを判定する（ステップＳ１０４）という処理を配線点選定部３１４が配線点を検出するまで繰り返し行い、配線点を検出した場合には、配線点選定部３１４は制御部２１０の指示により、この検出した配線点情報をコマンド処理部２２６に送る。
【００９８】
次に、前記ステップＳ１０２における判定において、読み出したケーブルの種別が目的とするものに一致しなかった場合には（ステップＳ１０２のＮｏ）、目的とするケーブル種別を検出する必要があるので、配線点選定部３１４は、制御部２１０の指示により、通信媒体選定者によって特定された点設備に敷設されているケーブルのケーブル接続情報をケーブル接続記憶部３１０から読み出し（ステップＳ１１０）、この読み出したケーブル接続情報からケーブル接続先が存在するか否かを判定する（ステップＳ１１１）。ケーブル接続先が存在しない場合は、ケーブルの端点まで検索したことになり、目的とするケーブルが検出できないものであるため、エラー処理を行い（ステップＳ１５０）、本処理を終了する。
【００９９】
一方、ケーブル接続先が存在する場合は、前記読み出したケーブル接続情報から特定されるケーブルの種別を調べるために、配線点選定部３１４は制御部２１０の指示により、当該ケーブルの属性をケーブル属性記憶部３１２から読み出す（ステップＳ１１２）。それから、ステップＳ１０２に戻り、この読み出したケーブルの種別が目的とするものに一致するか否かを判定し（ステップＳ１０２）、配線点選定部３１４は目的とするケーブル種別が検出されるまで、この処理を繰り返し行なう。
【０１００】
なお、図６は、需要発生点において通信媒体の種別が異なる場合の例を示しているが、同図の（イ）に示すように、例えば光通信媒体を使用する新規需要が発生した場合、この新規需要に最寄の点設備、すなわち新規需要のあった地点に近い近傍点設備には同図の（ロ）に示すようにメタル通信媒体のみが敷設されていて、目的とする光通信媒体種別がない場合には、上述したように、ケーブル接続情報と該接続情報から特定される接続先の点設備に存在するケーブル種別情報を調べて、同図の（ハ）に示すように、目的とする光通信媒体を検出し、この光通信媒体の配線点を同図の（ニ）に示すように発見することにより配線点が特定される。
【０１０１】
以上のようにして、配線点が検出されると、すなわち、ステップＳ１０４の判定において配線点が存在することが分かり、この配線点情報がコマンド処理部２２６に送られると、コマンド処理部２２６は、この配線点情報を受け取り、この受け取った配線点情報と通信媒体選定者から最初に受け取っている光分岐モジュール使用条件を制御部２１０の指示により選定部２２２に送り、通信媒体選定処理の実行を選定部２２２に指示する。
【０１０２】
選定部２２２においては、制御部２１０の指示により、優先媒体抽出部１０１４が選定優先順位設定部１０１０から予め設定済みの優先して選定すべき通信媒体使用区分の一覧と通信媒体使用区分記憶部２２４に記憶されている該配線点での通信媒体使用区分の一覧とを読み出し（ステップＳ１０５）、優先順位比較部１０１２に送る。優先順位比較部１０１２は、制御部２１０の指示により、選定優先順位設定部１０１０からの優先選定通信媒体使用区分である優先順位と通信媒体使用区分記憶部２２４からの該配線点での通信媒体使用区分とを比較し、該配線点における通信媒体に対して優先順位の高い順に通信媒体特定情報を並び替え（ステップＳ１０６）、この並び替えた結果を優先媒体抽出部１０１４に送る。
【０１０３】
具体的に説明すると、選定優先順位設定部１０１０では優先順位として高い順に、例えば単心化空き＞端末空き＞空きなどと予め設定されていたとする。また、通信媒体使用区分記憶部２２４には、当該配線点における通信媒体の使用区分として、例えば図１２に示すように媒体番号１：使用中、２：故障、３−４：単心化空き、５−８：空き、９−１６：端末空き、２１−２４：空きという通信媒体使用区分が記憶されているとする。なお、図１２において、集合構造体からなるケーブルは複数のテープ集合で構成され、各テープ集合は４本の通信媒体で構成されている場合を示している。
【０１０４】
このような場合、優先順位比較部１０１２は、この優先順位と通信媒体使用区分とを比較し、該配線点における優先順位の高い順に通信媒体特定情報を媒体番号（通信媒体特定情報）３−４（単心化空き）、９−１６（端末空き）、５−８，２１−２４（空き）などのように並び替えて、優先媒体抽出部１０１４に送ることになる。
【０１０５】
優先媒体抽出部１０１４は、該配線点における通信媒体に対して優先順位の高い順に並び替えられた通信媒体特定情報を受け取ると、この情報から通信媒体を新規に切断せずに、すなわちケーブルを新規に切り開いて複数の単心にばらばらに分離することなく、選定可能かどうかを判定する（ステップＳ１０７）。なお、通信媒体の新規切断とは、例えば図９（ａ）の（イ）や図９（ｃ）に示すようなケーブル単位の切断ではなく、ケーブルに内包される通信媒体（の集合体）、例えば図９（ａ）の場合には（イ）のテープ状の心線集合の単位での切断であり、また図９（ｃ）の場合にはチューブ単位での切断である。従って、このようにケーブルの新規切断の場合でも、他の集合体の通信媒体は使用中となっているものがある。
【０１０６】
上述した通信媒体を新規に切断せずに選定可能かどうかの判定の結果、通信媒体を切断せずに選定可能である場合には、制御部２１０の指示により、この優先順位の高い順に並び替え済みの選定可能な通信媒体特定情報を抽出し（ステップＳ１４０）、光分岐モジュール判断部２６６に送る。なお、この通信媒体を切断せずに選定可能かどうかについての判定は、上述したように、優先順位の高い順に並び替えられた通信媒体特定情報３−４（単心化空き）、９−１６（端末空き）、５−８，２１−２４（空き）などに基づき行なわれるが、この場合のように既に切断されてばらばらに分離されているものの中に空きの通信媒体がある場合には、切断せずに通信媒体を選定できることになる。また、このように既に切断されてばらばらに分離されている空きの通信媒体がない場合には、テープ集合やチューブなどのような通信媒体の集合構造体を新規に切断して選定することになる。
【０１０７】
一方、ステップＳ１０７の判定において、前記配線点において通信媒体を切断せずに選定できない場合には、新規の通信媒体を切断して使用する必要があるため、優先媒体抽出部１０１４は、制御部２１０の指示により、切断候補となる通信媒体特定情報を抽出し、この抽出した切断候補の通信媒体特定情報を切断媒体抽出部１０２４に送る。
【０１０８】
切断媒体抽出部１０２４は、この切断候補の通信媒体特定情報を受け取ると、制御部２１０の指示により、この切断候補の通信媒体特定情報をリーフケーブル特定部１０２６に送る。リーフケーブル特定部１０２６は、制御部２１０の指示により、前記切断候補の通信媒体特定情報から該通信媒体と接続されているリーフケーブルを抽出して、リーフケーブルの一覧を作成し（ステップＳ１３０）、切断媒体抽出部１０２４に送る。
【０１０９】
切断媒体抽出部１０２４は、制御部２１０の指示により、通信媒体切断条件設定部１０２０から予め設定済みの通信媒体切断条件を読み込む（ステップＳ１３１）。なお、通信媒体切断条件としては、例えば通信媒体使用率の小さなものを優先的に切断したり、または空き心線数が物理的に多いものを優先的に切断したり、または空き心線数が所定以上存在し、かつ心線使用率が所定以内のものを優先的に切断するなどの条件が設定可能なものである。
【０１１０】
また、切断媒体抽出部１０２４は、制御部２１０の指示により、前記リーフケーブル一覧情報をもとに内包されている通信媒体の使用区分を通信媒体使用区分記憶部２２４から読み込んで、通信媒体使用率計算部２６４に送る。通信媒体使用率計算部２６４は、この受信した通信媒体の使用区分から、空き状態などの選定対象となる通信媒体数と使用中や故障などの選定対象外となる通信媒体数を集計して全通信媒体数を算出し、選定対象外となる通信媒体数を全通信媒体数で割ることにより、通信媒体使用率を計算する。そして、この計算された通信媒体使用率は、選定対象通信媒体数および選定対象外通信媒体数とともに制御部２１０の指示により通信媒体使用率情報記憶部２６２に送られ、通信媒体使用率情報記憶部２６２の所定の位置に記憶される。
【０１１１】
切断媒体抽出部１０２４は、制御部２１０の指示により、ステップＳ１３１で読み込んだ通信媒体切断条件と前記リーフケーブル一覧をキーとして通信媒体使用率情報記憶部２６２から読み込んだ各リーフケーブルの通信媒体使用率情報とを通信媒体使用率比較部１０２２に送る。通信媒体使用率比較部１０２２は、この通信媒体切断条件と各リーフケーブルの通信媒体使用率情報とを受け取ると、制御部２１０の指示により、該通信媒体切断条件に従って各リーフケーブルの通信媒体使用率情報を並び替え（ステップＳ１３２）、切断媒体抽出部１０２４に送る。
【０１１２】
切断媒体抽出部１０２４は、上述したように通信媒体切断条件に従って並び替えられた通信媒体使用率情報から切断可能であって、選定可能な通信媒体が存在するか否かを判定する（ステップＳ１３３）。切断可能な通信媒体が存在する場合には、切断媒体抽出部１０２４は、通信媒体切断条件に従って並び替えられた通信媒体使用率情報から切断可能な通信媒体を抽出し（ステップＳ１４０）、光分岐モジュール判断部２６６に送る。また、切断可能な通信媒体が存在しない場合には、エラー処理を行い（ステップＳ１５０）、本処理を終了する。
【０１１３】
上述したように、ステップＳ１４０において、光分岐モジュール判断部２６６は、ステップＳ１０７からの通信媒体の切断を行なわない場合において優先順位の高い順に並び替えられて抽出された選定可能な通信媒体特定情報またはステップＳ１３３からの通信媒体の切断を行なう場合において通信媒体切断条件に従って並び替えられた通信媒体使用率情報から抽出された切断可能な通信媒体特定情報、すなわち選定可能な通信媒体の一覧を受信すると、光分岐モジュール判断部２６６の判断部４１４は、制御部２１０の指示により、光分岐モジュール接続記憶部４１０から前記通信媒体に接続されている光分岐モジュール特定情報を読み込み、更に該光分岐モジュール特定情報に基づき光分岐モジュール属性記憶部４１２から光分岐モジュール種別情報を読み込む（ステップＳ１４１）。
【０１１４】
判断部４１４は、制御部２１０の指示により、この読み込んだ光分岐モジュール種別情報と通信媒体選定者から最初に受け取っている光分岐モジュール使用条件とから使用可能な光分岐モジュールに接続されている通信媒体を抽出し（ステップＳ１４２）、選定部２２２に送る。
【０１１５】
選定部２２２は、制御部２１０の指示により、前記抽出された通信媒体から必要な媒体数分の選定を行い（ステップＳ１４３）、この処理結果、すなわち選定した通信媒体の特定情報を通信媒体使用区分記憶部２２４、通信媒体使用率計算部２６４、および出力部２３２に送る。
【０１１６】
通信媒体使用区分記憶部２２４は、選定部２２２から選定された通信媒体特定情報を受け取ると、制御部２１０の指示により、この通信媒体特定情報に対応する使用区分を使用中に変更する。また、通信媒体使用率計算部２６４は、制御部２１０の指示により、該通信媒体特定情報で特定される通信媒体が使用中になったことにより変更される該通信媒体を含むケーブルの通信媒体使用率を計算し、この計算結果を通信媒体使用率情報記憶部２６２に送る。通信媒体使用率情報記憶部２６２は、この計算結果の通信媒体使用率を制御部２１０の指示により所定の位置に記憶する（ステップＳ１４４）。なお、上述したように、ステップＳ１３１において通信媒体切断条件の読み込みに続いて行なわれた通信媒体使用率の計算および通信媒体使用率情報記憶部２６２への記憶が行なわれた場合には、このステップＳ１４４における通信媒体使用率の計算および記憶は不要となる。
【０１１７】
また、出力部２３２に送られた選定部２２２の処理結果である選定した通信媒体の特定情報は、制御部２１０の指示により出力部２３２から入出力インタフェース部２４０を介してネットワーク２５０または入出力装置２５２に送信され、本処理は終了する（ステップＳ１４１）。
【０１１８】
図７は、本発明の通信媒体選定装置を用いた場合の通信媒体使用率の向上を説明するための設備モデルの一例を示す図である。同図（ａ）に示すように、簡単化のため敷設されたケーブルは、４心テープ構造×２５テープの１００心であり、この１００心ケーブルは６０心ケーブルと４０心ケーブルに分岐され、更に６０心ケーブルは４０心ケーブルと２０進ケーブルに分岐され、更に４０心ケーブルは２つの２０心ケーブルに分岐されている。
【０１１９】
また、図７（ｂ）に示すように、ケーブル区間Ａの通信媒体とリーフケーブルの通信媒体との接続関係は、区間Ａの通信媒体番号１番から２０番がそれぞれリーフケーブルＧの通信媒体番号１番から２０番に、区間Ａの２１番から４０番がリーフケーブルＨの１番から２０番に、区間Ａの４１番から６０番がリーフケーブルＩの１番から２０番に、区間Ａの６１番から１００番がリーフケーブルＦの１番から４０番にそれぞれ接続されている。なお、配線点はすべての点設備に存在するものとする。
【０１２０】
このような場合において、従来の通信媒体選定装置では、需要の発生した配線点に使用可能な通信媒体が存在しない場合、通信媒体番号の若番から順に通信媒体を切断して使用していたため、ケーブル区間Ａ・Ｄで発生した需要には、ケーブル区間Ｇに繋がっていた通信媒体を次々に切断することで対応することになっていた。例えば、ケーブル区間Ｇで１心も需要が発生していなくても、ケーブル区間Ａ・Ｄ順に連続して全体で２０心以上の需要が発生すると、それ以後ケーブル区間Ｇで発生した需要には対応できないことになっていた。
【０１２１】
これに対して、本実施形態の通信媒体選定装置では、下部の通信媒体使用率を考慮した選定が行なわれるため、従来の１リーフケーブルでの通信媒体の使い切りが発生しづらくなる。例えば、通信媒体切断条件設定部１０２０にリーフケーブルの通信媒体使用率の最も小さいものに繋がっている通信媒体を選定するように条件が設定されているとすると、上述したように、ケーブル区間Ａ・Ｄで２０心の需要が連続して発生したとしても、最初の通信媒体選定は、例えばケーブルＧに繋がる通信媒体から選択されるが、２つめの切断時には通信媒体使用率の低いケーブルＦまたはＨまたはＩに接続されている通信媒体が選定されることになり、最終的にはリーフケーブルであるケーブル区間Ｆ、Ｇ、Ｈ、Ｉの通信媒体の切断数はそれぞれ２テープ（８心）、１テープ（４心）、１テープ（４心）、１テープ（４心）となり、それ以後にケーブル区間Ｇで発生した需要にも対応することができるものである。
【０１２２】
図８は、上述した図７に示した設備モデルを前提とした需要発生シミュレーションを行なった結果を示す図である。発生する需要はケーブル区間Ａ・ｉでランダムに発生するものとする。また、シミュレーションは１０回行ない、最大値と最小値を除いた値で平均をとるものとする。図８（ａ）は、発生した需要に対して通信媒体を使い切るなどのように需要に対応できなくなった時点で１００心ケーブルの通信媒体使用状態を本発明の通信媒体選定装置の場合と従来の通信媒体選定装置の場合について示し、図８（ｂ）は、この結果をグラフ上にプロットした図であり、横軸は選定できた通信媒体数を示し、縦軸はその時点でのテープ媒体の使用率を示している。
【０１２３】
図８に示すように、従来の通信媒体選定装置では、平均４９心の通信媒体が選定でき、平均テープ媒体使用率は６２％であるのに対して、本発明の通信媒体選定装置では、平均７５心の通信媒体を選定でき、テープ媒体使用率は８７．５％であり、約２５％の通信媒体使用率の向上が見られる。
【０１２４】
なお、上記実施形態において、光分岐モジュール使用条件を個別に入力する代わりに、光分岐モジュール使用条件を特定するキーを入力し、このキーに合致する別途記憶済みの使用条件を読み込んで、処理を実行する方法も可能である。また、上記実施形態では、集合構造体をなす通信媒体について説明したが、本発明はこれに限定されるものでなく、単心構造の通信媒体でも同様に適用し得るものである。
【０１２５】
次に、図１５を参照して、本発明の他の実施形態に係わる通信媒体選定方法を実施する通信媒体選定装置について説明する。同図に示す通信媒体選定装置は、図１に示す実施形態において通信媒体を取り出し得る配線点を検出したが、この配線点において通信媒体を新規に切断せずに選定できない場合に、ケーブルがツリー状に分岐していく場合に生成される分岐エリアを定め、分岐エリアから切断可能な通信媒体を抽出するという点が図１の実施形態と機能的に異なるものであり、また図１に示す構成においては通信媒体使用率計算部２６４および通信媒体使用率情報記憶部２６２の代わりに通信媒体を選定する毎に需要点下部の分岐エリア内に属する個々のケーブル在庫心線数を加算して得られる分岐エリア毎の分岐エリア在庫媒体数を計算する分岐エリア在庫媒体数計算手段を構成する分岐エリア在庫媒体数計算部２６５およびこの計算された分岐エリア毎の分岐エリア在庫媒体数を記憶する分岐エリア在庫媒体数記憶手段を構成する分岐エリア在庫媒体数記憶部２６３をそれぞれ有するとともに、また選定部２２２の機能を符号２２２ａとして示し、また後述する図１７に示すように構成されている点が異なるものであり、その他の構成および作用は同じであり、同じ構成要素には同じ符号が付されている。
【０１２６】
ここで、図面を用いて本実施形態を詳細に説明する前に、本実施形態で使用する用語について説明する。
【０１２７】
配線ブロックとは、通信媒体需要数を算出するために設定された論理的なエリアであり、加入者数、平均媒体需要割合などの属性を有する。
【０１２８】
また、分岐エリアについて図１９を参照して説明する。ケーブルは、図１９に示すように、通信装置収容局から分岐を繰り返しながら配線され、一般的にはツリー型をとる。分岐エリアとはケーブル分岐点において、下部側のケーブルツリーをすべて包含するエリアを意味する。例えば、図１９の分岐点１のように二分岐している場合、該分岐点の下部には２つのケーブルツリーが存在し、各々のケーブルツリーを包含する分岐エリア１−１，１−２が得られる。ある分岐エリアにおいて更にケーブルが分岐している場合は、各々に分岐エリアが存在するため、分岐エリアは包含構造となる。
【０１２９】
前記分岐エリア在庫媒体数計算部２６５は、図１６に示すように、計算ルール設定手段を構成する計算ルール設定部１１１０、配線ブロックの属性情報記憶手段を構成する配線ブロック属性記憶部１１１３、および計算ルールに基づいて在庫媒体数を計算する計算手段を構成する計算部１１１４から構成されている。
【０１３０】
また、前記選定部２２２ａは、図３に示した選定部２２２における通信媒体使用率比較部１０２２およびリーフケーブル特定部１０２６の代わりに通信媒体在庫数比較部１０２３、およびケーブルツリー情報抽出手段、分岐エリア情報生成手段を構成するケーブルツリー検索部１０２７をそれぞれ有する点が異なるものであり、その他の構成および作用は同じであり、同じ構成要素には同じ符号が付されている。
【０１３１】
次に、図１８に示すフローチャートを参照して、図１５に示す本実施形態の通信媒体選定装置の作用について説明する。なお、本作用、すなわち図１８に示すフローチャートは、図５に示したフローチャートにおけるステップＳ１３０，Ｓ１３２，Ｓ１４４の代わりにステップＳ１３０ａ，Ｓ１３０ｂ，Ｓ１３０ｃ，Ｓ１３２ａ，Ｓ１４４ａが設けられている点が異なるのみであり、その他のステップは同じであるため、特にステップＳ１０７以前のステップの図示は省略されている。従って、本説明では異なっている部分を含むステップＳ１０７以降の作用について説明を行なう。
【０１３２】
図１８のステップＳ１０７の判定において、前記配線点において通信媒体を切断せずに選定できない場合には、新規の通信媒体を切断して使用する必要があるため、優先媒体抽出部１０１４は、制御部２１０の指示により、切断候補となる通信媒体特定情報を抽出し、この抽出した切断候補の通信媒体特定情報を切断媒体抽出部１０２４に送る。
【０１３３】
切断媒体抽出部１０２４は、この切断候補の通信媒体特定情報を受け取ると、制御部２１０の指示により、この切断候補の通信媒体特定情報をケーブルツリー検索部１０２７に送る。ケーブルツリー検索部１０２７は、制御部２１０の指示により、ケーブル接続記憶部３１０からケーブル接続情報を引き出し、前記切断候補の通信媒体特定情報と前記ケーブル接続情報から該通信媒体と接続されているケーブルのツリー構造情報を抽出し（ステップＳ１３０ａ）、ケーブルツリー全体を包含するエリアを分岐エリアと定める。更に、前記分岐エリア中に存在する分岐点毎に分岐エリア情報を抽出し、すべてを抽出したら前記ケーブルツリー構造情報と分岐エリア情報を分岐エリア在庫媒体数計算部２６５の計算部１１１４に送る。
【０１３４】
計算部１１１４は、制御部２１０の指示により計算ルール設定部１１１０から予め設定済みの在庫媒体数計算ルールを読み込む（ステップＳ１３０ｂ）。なお、在庫媒体数計算ルールとしてはケーブル在庫媒体数、分岐エリア在庫媒体数等の複数の媒体計算ルールを設定できる。ケーブル在庫媒体数は物理ケーブル毎の存在媒体数であり、分岐エリア在庫媒体数とは分岐エリアに存在するケーブル在庫媒体数を足し合わせたものである。ケーブル在庫媒体数の計算は、ケーブルの実媒体数から実使用媒体数と潜在需要媒体数を引くことによってなされ、計算ルールとしては例えば、潜在需要媒体数を加入者数と媒体需要率から得られるポアソン分布と仮定して計算したり、あるいは一定の係数を掛けることによって計算したり、あるいは時間とともに変動する関数として計算し、また媒体故障率を予め見込んだり、予備媒体を予め見込むなどの条件を設定する。
【０１３５】
また、計算部１１１４は制御部２１０の指示により指定ケーブルの通信媒体使用区分を通信媒体使用区分記憶部２２４から読み込み、潜在需要数を計算するのに必要なユーザ数や媒体需要率などの配線エリアの属性情報を配線エリア属性記憶部１１１３から読み込み、前記読み込み済みの計算ルールに従ってケーブル在庫媒体数を計算し、更に前記読み込み済みの分岐エリア情報に従ってケーブル在庫媒体数を足し合わせ、分岐エリア在庫媒体数を算出する（ステップＳ１３０ｃ）。計算結果は、制御部２１０の指示により分岐エリア在庫媒体数記憶部２６３に送られ、分岐エリア在庫媒体数記憶部２６３は制御部２１０の指示により分岐エリア情報とともに前記分岐エリア在庫媒体数を所定の位置に記憶する。
【０１３６】
切断媒体抽出部１０２４は、制御部２１０の指示により、通信媒体切断条件設定部１０２０から予め設定済みの通信媒体切断条件を読み込む（ステップＳ１３１）。なお、通信媒体切断条件としては、大きな分岐エリア在庫媒体数をもつ分岐エリアに属するリーフケーブルを優先的に切断したり、あるいは在庫媒体数が同じ場合には実使用数が小さい方を優先的に切断するなどの設定が可能である。
【０１３７】
例えば図１９において、各分岐エリア在庫媒体数が次の条件を満たすものとする。分岐エリア１−１＞分岐エリア１−２、分岐エリア２−１＜分岐エリア２−２、分岐エリア３−１＞分岐エリア３−２、分岐エリア４−１＜分岐エリア４−２。この場合、切断優先順位は次の分岐エリアに属するリーフケーブルに繋がる媒体の順である。分岐エリア２−２、分岐エリア４−２、分岐エリア４−１、分岐エリア３−１、分岐エリア３−２。これは分岐点毎に大きな分岐エリア在庫媒体数をもつエリアを順次選択し（枝刈りをし）、リーフケーブルを選択し、すべてのリーフケーブルを抽出するまで、該処理を繰り返したときに得られる順序と同一である。
【０１３８】
切断媒体抽出部１０２４は、制御部２１０の指示により、分岐エリア在庫媒体数記憶部２６３に記憶された分岐エリア情報と分岐エリア在庫媒体数を読み込み、前記読み込み済みの通信媒体切断条件とともに、通信媒体在庫数比較部１０２３に送る。通信媒体在庫数比較部１０２３は、制御部２１０の指示により、該通信媒体切断条件に従って分岐エリア情報を並び替え（ステップＳ１３２ａ）、切断媒体抽出部１０２４に該並び替え済み分岐エリア情報を送る。
【０１３９】
切断媒体抽出部１０２４は、上述したように通信媒体切断条件に従って並び替えられた分岐エリア在庫情報から切断可能であって、選定可能な通信媒体が存在するか否かを判定する（ステップＳ１３３）。切断可能な通信媒体が存在する場合には、切断媒体抽出部１０２４は、通信媒体切断条件に従って並び替えられた分岐エリア在庫情報から切断可能な通信媒体を抽出し（ステップＳ１４０）、光分岐モジュール判断部２６６に送る。また、切断可能な通信媒体が存在しない場合、エラー処理を行ない（ステップＳ１５０）、本処理を終了する。
【０１４０】
ステップＳ１４０において、光分岐モジュール判断部２６６は、ステップＳ１０７からの通信媒体の切断を行なわない場合において優先順位の高い順に並び替えられて抽出された選定可能な通信媒体特定情報またはステップＳ１３３からの通信媒体の切断を行なう場合において通信媒体切断条件に従って並び替えられた通信媒体使用率情報から抽出された切断可能な通信媒体特定情報、すなわち選定可能な通信媒体の一覧を受信すると、光分岐モジュール判断部２６６の判断部４１４は、制御部２１０の指示により、光分岐モジュール接続記憶部４１０から前記通信媒体に接続されている光分岐モジュール特定情報を読み込み、更に該光分岐モジュール特定情報に基づき光分岐モジュール属性記憶部４１２から光分岐モジュール種別情報を読み込む（ステップＳ１４１）。
【０１４１】
判断部４１４は、制御部２１０の指示により、この読み込んだ光分岐モジュール種別情報と通信媒体選定者から最初に受け取っている光分岐モジュール使用条件とから使用可能な光分岐モジュールに接続されている通信媒体を抽出し（ステップＳ１４２）、選定部２２２に送る。
【０１４２】
選定部２２２は、制御部２１０の指示により、前記抽出された通信媒体から必要な媒体数分の選定を行ない（ステップＳ１４３）、この処理結果、すなわち選定した通信媒体の特定情報を通信媒体使用区分記憶部２２４、および出力部２３２に送る。
【０１４３】
通信媒体使用区分記憶部２２４は、選定部２２２から選定された通信媒体特定情報を受け取ると、制御部２１０の指示により、この通信媒体特定情報に対応する使用区分を使用中に変更する（ステップＳ１４４ａ）。なお、本作用の説明では、上述したように選定の前段階で分岐エリア毎の分岐エリア在庫媒体数を計算する手順について記述したが、選定の後段階で、すなわちステップＳ１４４ａで分岐エリア在庫媒体数の計算と記憶を行なってもよいものである。
【０１４４】
なお、上記実施形態の通信媒体選定方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、通信媒体選定方法を実施する通信媒体選定装置として機能させることができることは勿論であり、このような記録媒体を用いることにより、その流通性を高めることができるものである。
【図面の簡単な説明】
【０１４５】
【図１】本発明の一実施形態に係わる通信媒体選定装置の構成を示すブロック図である。
【図２】図１に示す通信媒体選定装置に使用されている配線点特定部の構成を示すブロック図である。
【図３】図１に示す通信媒体選定装置に使用されている選定部の構成を示すブロック図である。
【図４】図１に示す通信媒体選定装置に使用されている光分岐モジュール判断部の構成を示すブロック図である。
【図５】図１に示す通信媒体選定装置の作用を示すフローチャートである。
【図６】需要発生点において通信媒体種別の異なる場合の一例を示す図である。
【図７】本発明の通信媒体選定装置を用いた場合の通信媒体使用率の向上を説明するための設備モデルの一例を示している。
【図８】図７に示した設備モデルを前提とした需要発生シミュレーションを行なった結果を示す図である。
【図９】集合構造体をなす通信媒体とその切断を説明するための図である。
【図１０】本発明で使用される点設備、配線点、上部、下部、リーフケーブルを説明するための図である。
【図１１】光分岐モジュールを説明するための図である。
【図１２】配線点における通信媒体の使用区分を示す図である。
【図１３】従来の通信媒体選定装置の構成を示すブロック図である。
【図１４】複数の点設備が１つの配線点に対応している多：１の対応を示す図である。
【図１５】本発明の他の実施形態に係わる通信媒体選定方法を実施する通信媒体選定装置を示すブロック図である。
【図１６】図１５に示す通信媒体選定装置に使用されている分岐エリア在庫媒体数計算部の構成を示すブロック図である。
【図１７】図１５に示す通信媒体選定装置に使用されている選定部の構成を示すブロック図である。
【図１８】図１５に示す通信媒体選定装置の作用を示すフローチャートである。
【図１９】分岐エリアを説明するための図である。
【符号の説明】
【０１４６】
２１０  制御部
２２２，２２２ａ  選定部
２２４  通信媒体使用区分記憶部
２２６  コマンド処理部
２６２  通信媒体使用率情報記憶部
２６３  分岐エリア在庫媒体数記憶部
２６４  通信媒体使用率計算部
２６５  分岐エリア在庫媒体数計算部
２６６  光分岐モジュール判断部
３１０  ケーブル接続記憶部
３１２  ケーブル属性記憶部
３１４  配線点選定部  ３１６  配線点記憶部
４１０  光分岐モジュール接続記憶部
４１２  光分岐モジュール属性記憶部
４１４  判断部
１０１０  選定優先順位設定部
１０１２  優先順位比較部
１０１４  優先媒体抽出部
１０２０  通信媒体切断条件設定部
１０２２  通信媒体使用率比較部
１０２３  通信媒体在庫数比較部
１０２４  切断媒体抽出部
１０２６  リーフケーブル特定部
１０２７  ケーブルツリー検索部
１１１０  計算ルール設定部
１１１３  配線ブロック属性記憶部
１１１４  計算部
【図１】
2006217652.tif 000003
【図２】
2006217652.tif 000004
【図３】
2006217652.tif 000005
【図４】
2006217652.tif 000006
【図５】
2006217652.tif 000007
【図６】
2006217652.tif 000008
【図７】
2006217652.tif 000009
【図８】
2006217652.tif 000010
【図９】
2006217652.tif 000011
【図１０】
2006217652.tif 000012
【図１１】
2006217652.tif 000013
【図１２】
2006217652.tif 000014
【図１３】
2006217652.tif 000015
【図１４】
2006217652.tif 000016
【図１５】
2006217652.tif 000017
【図１６】
2006217652.tif 000018
【図１７】
2006217652.tif 000019
【図１８】
2006217652.tif 000020
【図１９】
2006217652.tif 000021